(57)【特許請求の範囲】
【請求項１】
物体側から順に、正屈折力の第１レンズ群、負屈折力の第２レンズ群、正屈折力の第３レンズ群、正屈折力の第４レンズ群からなる、
もしくは、
物体側から順に、正屈折力の第１レンズ群、負屈折力の第２レンズ群、正屈折力の第３レンズ群、正屈折力の第４レンズ群、負屈折力の第５レンズ群からなり、
各レンズ群の間隔を変化させることで変倍を行い、
前記第１レンズ群は物体側から順に１枚の負レンズと１枚の正レンズからなり、かつ前記１枚の負レンズと１枚の正レンズは接合するズームレンズと、
前記ズームレンズにより形成した像を電気信号に変換する撮像素子と、
を有し、
以下の条件式を満たすことを特徴とする撮像装置。
５．０＜ｆt ／ｆw＜５０．０                       ・・・（１）
１．４＜Ｎd1p＜１．７                             ・・・（２）
０．７＜Ｉmw／ｆw＜１．０                         ・・・（１２）
１４．０＜Ｌt／Ｉmw＜１６．０                       ・・・（１３）
ただし、ｆwは広角端におけるズームレンズ全系の焦点距離、
ｆtは望遠端におけるズームレンズ全系の焦点距離、
Ｎd1pは前記第１レンズ群の正レンズのｄ線に対する屈折率
Ｉmwは広角端での像高、
Ｌtは望遠端でのズームレンズ全系の全長、
である。
【請求項２】
物体側から順に、正屈折力の第１レンズ群、負屈折力の第２レンズ群、正屈折力の第３レンズ群、正屈折力の第４レンズ群からなる、
もしくは、
物体側から順に、正屈折力の第１レンズ群、負屈折力の第２レンズ群、正屈折力の第３レンズ群、正屈折力の第４レンズ群、負屈折力の第５レンズ群からなり、
各レンズ群の間隔を変化させることで変倍を行い、
前記第１レンズ群は物体側から順に１枚の負レンズと１枚の正レンズからなり、かつ前記１枚の負レンズと１枚の正レンズは接合するズームレンズと、
前記ズームレンズにより形成した像を電気信号に変換する撮像素子と、
を有し、
以下の条件式を満たすことを特徴とする撮像装置。
０．８＜（（Ｒpr＋Ｒpf）／（Ｒpr−Ｒpf）＋１）／Ｎd1p＜１．４
・・・（３）
５．０＜ｆt ／ｆw＜５０．０                       ・・・（１）
０．７＜Ｉmw／ｆw＜１．０                         ・・・（１２）
１４．０＜Ｌt／Ｉmw＜１６．０                       ・・・（１３）
ただし、Ｒprは前記第１レンズ群の正レンズの像面側の曲率半径、
Ｒpfは前記第１レンズ群の正レンズの物体側の曲率半径、
Ｎd1pは前記第１レンズ群の正レンズのｄ線に対する屈折率、
ｆwは広角端におけるズームレンズ全系の焦点距離、
ｆtは望遠端におけるズームレンズ全系の焦点距離
Ｉmwは広角端での像高、
Ｌtは望遠端でのズームレンズ全系の全長、
である。
【請求項３】
以下の条件式を満足することを特徴とする請求項１又は２に記載の撮像装置。
１．９２＜Ｎd1n＜２．３                           ・・・（４）
１３．０＜νd1n＜３５．０                         ・・・（５）
０．０２＜ｄ1n／ｄ1p＜０．３５                     ・・・（６）
ただし、Ｎd1nは前記第１レンズ群内の負レンズのｄ線に対する屈折率、
νd1nは前記第１レンズ群内の負レンズのアッベ数、
ｄ1nは前記第１レンズ群内の負レンズの光軸上での厚さ、
ｄ1pは前記第１レンズ群内の正レンズの光軸上での厚さ
である。
【請求項４】
以下の条件式を満足することを特徴とする請求項１乃至請求項３のいずれかに記載の撮像装置。
−１５．０＜（Ｒnr＋Ｒnf）／（Ｒnr−Ｒnf）＜−１．０  ・・・（７）
ただし、Ｒnrは前記第１レンズ群の負レンズの像面側の曲率半径、
Ｒnfは前記第１レンズ群の負レンズの物体側の曲率半径
である。
【請求項５】
以下の条件式を満足することを特徴とする請求項１乃至請求項４のいずれかに記載の撮像装置。
０．２０＜Ｎd1n−Ｎd1p＜０．７０                     ・・・（８）
３５＜νd1p−νd1n＜８０                             ・・・（９）
０．０２＜ｄ1n／ｄ1p＜０．３５                     ・・・（６）
ただし、Ｎd1nは前記第１レンズ群内の負レンズのｄ線に対する屈折率、
νd1nは前記第１レンズ群内の負レンズのアッベ数、
Ｎd1pは前記第１レンズ群内の正レンズのｄ線に対する屈折率、
νd1pは前記第１レンズ群内の正レンズのアッベ数、
ｄ1pは前記第１レンズ群内の正レンズの光軸上での厚さ、
ｄ1nは前記第１レンズ群内の負レンズの光軸上での厚さ
である。
【請求項６】
以下の条件式を満足することを特徴とする請求項１乃至請求項５のいずれかに記載の撮像装置。
０．２＜ｆ1／ｆt＜１．０                         ・・・（１０）
ただし、ｆ1は前記第１レンズ群の焦点距離、
ｆtは望遠端でのズームレンズ全系の焦点距離
である。
【請求項７】
以下の条件式を満足することを特徴とする請求項１乃至請求項６のいずれかに記載の撮像装置。
−０．５＜ｆ2／ｆt＜−０．０５                   ・・・（１１）
ただし、ｆ2は前記第２レンズ群の焦点距離、
ｆtは望遠端でのズームレンズ全系の焦点距離
である。
【請求項８】
明るさ絞りを有し、広角端から望遠端への変倍時に、前記第１レンズ群は広角端よりも望遠端で物体側にあるように移動し、前記第２レンズ群は移動し、前記第３レンズ群は広角端よりも望遠端で物体側にあるように移動し、前記第４レンズ群は移動し、前記明るさ絞りは移動することを特徴とする請求項１乃至請求項７のいずれかに記載の撮像装置。
【請求項９】
全部で９枚以下のレンズ枚数からなることを特徴とする請求項１乃至請求項８のいずれかに記載の撮像装置。
【発明の詳細な説明】
【技術分野】
【０００１】
本発明は、撮像装置に関し、特に小型化を実現した、ビデオカメラやデジタルカメラを始めとする撮像装置に関するものである。
【背景技術】
【０００２】
近年では、銀塩フィルムカメラに代わり、ＣＣＤやＣＭＯＳのような固体撮像素子を用いて被写体を撮影するようにしたデジタルカメラが主流となっている。更にそれは業務用高機能タイプからコンパクトな普及タイプまで幅広い範囲でいくつものカテゴリーを有するようになってきている。
【０００３】
本発明においては、特にコンパクトな普及タイプのカテゴリーに注目している。このような普及タイプのデジタルカメラのユーザーは、いつでもどこでも手軽に幅広いシーンで撮影を楽しみたいという要望をもっている。そのため、小型な商品、特に服やカバンのポケット等への収納性がよく持ち運びが便利な、厚み方向のサイズが薄型であるタイプのデジタルカメラが好まれるようになっており、撮影レンズ系にもより一層の小型化が要望されている。
【０００４】
一方、撮像素子の画素数が増加の傾向にあるため、撮像素子の高画素化に対応した高い光学性能が求められている。さらには量産性も確保するために、レンズ加工や組み込み工程での製造誤差に対する光学性能劣化の感度を小さく抑えておく必要がある。また撮影領域を広げるという観点から変倍比が５倍や７倍を超える高変倍ズームも一般化してきており、更なる高変倍化も期待されている一方で、広角化への期待もある。
【０００５】
こういった要求に応えるべく様々なタイプのズームレンズ系が提案されている。比較的高変倍比でコンパクトなズームレンズを構成した先行技術としては、物体側より正屈折力の第１レンズ群、負屈折力の第２レンズ群、正屈折力の第３レンズ群、正屈折力の第４レンズ群を有するタイプが知られており、以下のような特許文献１乃至３が開示されている。
【特許文献１】特開２００６−１７１０５５号公報
【特許文献２】特開平１１−５２２４４号公報
【特許文献３】特開平８−２７１７８８号公報
【発明の開示】
【発明が解決しようとする課題】
【０００６】
しかしながら、特許文献１乃至３で提案されているズームレンズ系において、変倍比を上げつつ、レンズ全長を短くすると、収差特性に対する面精度の効きが大きくなり、レンズの加工が難しくなる、あるいはレンズ製作のコストが上昇するなどの問題が生じてしまう。
【０００７】
本発明はこのような問題点に鑑みてなされたものであり、その目的は、変倍比を上げながらレンズ全長を短くし、それによって生じる面精度の効きを抑え、良好な収差特性が得られる撮像装置を提供することである。
【課題を解決するための手段】
【０００８】
上記課題を解決するために、本発明では物体側から順に、正屈折力の第１レンズ群、負屈折力の第２レンズ群、正屈折力の第３レンズ群を有し、各レンズ群の間隔を変化させる
ことで変倍を行い、前記第１レンズ群は物体側から順に１枚の負レンズと１枚の正レンズからなり、以下の条件式を満足する構成とした。
５．０＜ｆt ／ｆw＜５０．０                     ・・・（１）
１．４＜Ｎd1p＜１．７                           ・・・（２）
ただし、ｆwは広角端におけるズームレンズ全系の焦点距離
ｆtは望遠端におけるズームレンズ全系の焦点距離
Ｎd1pは前記第1レンズ群の正レンズのd線に対する屈折率
である。
【０００９】
以下、このような構成をとった理由と作用を説明する。
【００１０】
本発明では物体側から順に、正屈折力の第１レンズ群、負屈折力の第２レンズ群、正屈折力の第３レンズ群を有し、各レンズ群の間隔を変化させることで変倍を行う構成を採用している。このような構成をとることにより、各レンズ群に変倍の負担を効率的に分担させることで、変倍時の収差変動を小さく抑えつつ、また、各レンズ群の移動量が大きくなることを防ぎ光学系のコンパクト化につながる。また、第１レンズ群に１枚の負レンズと１枚の正レンズを持たせることで、良好な収差補正を行うことができる。
【００１１】
条件式(１)の上限を超えると、本発明の構成では十分な光学性能を確保するのが難しくなる。条件式(１)の下限を超えると、より簡素な構成でも本発明の目的を達成できるため、本構成を採用することによるサイズやコストの面でのメリットが発揮できない。
【００１２】
なお、条件式（１）'を満たすとより好ましい。
８．０＜ｆt ／ｆw＜３０．０                     ・・・（１）’
【００１３】
また、条件式（１）’’を満たすとさらに好ましい。
９．５＜ｆt ／ｆw＜２０．０                     ・・・（１）’’
【００１４】
さらに、小型高変倍で且つ容易に製造可能なズームレンズを開発するために、条件式（２）を満たすように、第１レンズ群の正レンズの材料を選択すると、第１レンズ群のレンズの面形状の製造誤差による性能劣化を小さくすることが可能となる。
【００１５】
条件式(２)の上限内に設定することで、第１レンズ群中の正レンズの面形状による製造誤差を押さえ、製造上好ましい構成となる。また、条件式(２)の下限内に設定することで、硝材の入手が確保され、コストアップを防ぎ、量産し易くなる。
【００１６】
なお、条件式（２）'を満たすとより好ましい。
１．４２＜Ｎd1p＜１．６５                       ・・・（２）’
【００１７】
また、条件式（２）’’を満たすとさらに好ましい。
１．４５＜Ｎd1p＜１．６                         ・・・（２）’’
【００１８】
更には、上述の発明にて、以下のいずれかの構成を有することがより好ましい。
【００１９】
第１レンズ群の像面側を非球面とし、その非球面は光軸から遠ざかるにしたがって正のパワーが弱くなるようにすることが好ましい。第１レンズ群で発生する球面収差、コマ収差を小さく押さえることが可能となる。しかし、上記構成とすることで広角端におけるディストーションは大きくなりがちであるが、電子撮像装置としては、ズーム位置ごとにディストーション補正用のデータを記憶しておき、画像処理でディストーションの小さい画像を生成することで、第１レンズ群をこの構成としたときの小型化メリットを生かしやす
くなる。
【００２０】
また、以下の条件式を満たす事が好ましい。
０．８＜（（Ｒpr＋Ｒpf）／（Ｒpr−Ｒpf）＋１）／Ｎd1p＜１．４
・・・（３）
ただし、Ｒprは前記第１レンズ群の正レンズの像面側の曲率半径、
Ｒpfは前記第１レンズ群の正レンズの物体側の曲率半径、
Ｎd1pは前記第１レンズ群の正レンズのｄ線に対する屈折率
である。
【００２１】
ズーム時、広角端の像面湾曲や倍率色収差、望遠端のコマ収差をバランス良く補正するためには、第１レンズ群は物体側から負・正の構成とし、上記条件式を満たすようにすると、ズーム全域に渡ってバランス良く軸外諸収差を抑えることができる。特に、第１レンズ群の正レンズを、像面側の曲率半径が大きい両凸形状にするのが良く、上記条件を満たすようにしたとき、ズーム全域にわたってバランス良く軸外諸収差を小さくする上で好ましくなる。
【００２２】
条件式（３）の上限内に設定することで、第１レンズ群の正レンズの像面側のパワーを確保し、大きな変倍比をかせぐことができる。また、条件式（３）の下限内に設定することで、第１レンズ群の正レンズの像面側のパワーを抑え、軸上の像面湾曲、像面色収差を抑えることができる。また、第１レンズ群の正レンズのふち肉の厚みを確保する上で好ましくなる。
【００２３】
なお、条件式（３）'を満たすとより好ましい。
１．０＜（（Ｒpr＋Ｒpf）／（Ｒpr−Ｒpf）＋１）／Ｎd1p＜１．３
・・・（３）’
【００２４】
また、条件式（３）’’を満たすとさらに好ましい。
１．１＜（（Ｒpr＋Ｒpf）／（Ｒpr−Ｒpf）＋１）／Ｎd1p＜１．２
・・・（３）’’
【００２５】
また、第１レンズ群の負レンズと正レンズは接合としても良い。接合レンズとすると、高変倍化による望遠端の長焦点化の際に問題となり易い軸上色収差補正を効果的に行うことができる。さらに、組み立て誤差によるレンズ相対偏心での光学性能の劣化を抑えることができ、歩留まりの向上やコストダウンに貢献する。
【００２７】
また、望遠端の焦点距離を長くしつつ、全長を短く保つには、第１レンズ群は強いパワーを必要とする。正パワーによる収差を補正するためには、負レンズのパワーも比較的大きくする必要がある。そのため負レンズの曲率半径は小さくなりやすい。正のパワーを有する第１レンズ群では、通常、色収差補正の必要から負レンズは高分散側に配置される。
【００２８】
負レンズの曲率半径が小さくなると高次の収差が発生しやすくなるが、特に、この高分散性の影響によって高次の倍率色収差が発生し、正レンズによる色収差発生量を上回るようになり、著しく撮影画像の画質を劣化させてしまう。軸外になればなるほどその量は大きくなり、また、広角端の画角を広角にするほどその影響は大きくなり、望遠端との倍率色収差バランスをとることが難しくなる。
【００２９】
そのため、この第１レンズ群の負レンズの硝材を適切に選択することが非常に重要である。具体的には負レンズの硝材を以下の条件式（４）及び条件式（５）を満たすようにするとよい。
１．９２＜Ｎd1n＜２．３                         ・・・（４）
１３．０＜νd1n＜３５．０                       ・・・（５）
０．０２＜ｄ1n／ｄ1p＜０．３５                   ・・・（６）
ただし、Ｎd1nは前記第１レンズ群内の負レンズのｄ線に対する屈折率、
νd1nは前記第１レンズ群内の負レンズのアッベ数、
ｄ1nは前記第１レンズ群内の負レンズの光軸上での厚さ、
ｄ1pは前記第１レンズ群内の正レンズの光軸上での厚さ
である。
【００３０】
条件式（４）の上限内に設定することで、硝材の入手が確保され、コストアップを防ぎ、量産し易くなる。条件式（４）の下限内に設定することで、負レンズの曲率半径が小さくなるのを防ぎ、軸外の倍率色収差の発生を抑える上で好ましくなる。また、負パワーが確保されるので、正レンズで発生する球面収差やコマ収差等の諸収差等の補正を行う上で好ましい。
【００３１】
なお、条件式（４）'を満たすとより好ましい。
１．９４＜Ｎd1n＜２．２５                       ・・・（４）’
【００３２】
また、条件式（４）’’を満たすとさらに好ましい。
２．０４＜Ｎd1n＜２．２０                       ・・・（４）’’
【００３３】
条件式（５）の上限内に設定することで、軸上色収差の補正を行う上で好ましい構成となる。条件式（５）の下限内に設定することで、硝材の部分分散比が大きくなるのを防ぎ、短波長側での色収差発生を抑え、色収差の２次スペクトル補正を行う上で好ましくなる。
【００３４】
なお、条件式（５）'を満たすとより好ましい。
【００３５】
１４．０＜νd1n＜３２．０                       ・・・（５）’
【００３６】
また、条件式（５）’’を満たすとさらに好ましい。
１５．０＜νd1n＜３０．０                       ・・・（５）’’
【００３７】
以上のような理由から、条件式（４）及び（５）を満たせば、小型で広角・高変倍で光学性能の良好な光学系を容易に実現することが可能となる。
【００３８】
また、条件式（６）は倍率色収差と望遠端での軸上色収差をバランス良く補正するための条件である。条件式（６）の上限内に設定することで、倍率色収差の過剰補正を抑え、望遠端の軸上色収差の補正を行う上で好ましい構成となる。また、条件式（６）の下限内に設定することで、望遠端での軸上色収差の過剰補正を抑え、倍率色収差の補正を行う上で好ましい構成となる。また、負レンズの強度不足を防ぎ、製造を容易にしている。
【００３９】
なお、条件式（６）'を満たすとより好ましい。
０．０３＜ｄ1n／ｄ1p＜０．３０                   ・・・（６）’
【００４０】
また、条件式（６）’’を満たすとさらに好ましい。
０．０４＜ｄ1n／ｄ1p＜０．２５                   ・・・（６）’’
【００４１】
また、第１レンズ群内の負レンズの形状は、物体側に凸面を向けたメニスカス形状とすると良い。軸外光線がレンズ面に入射する角度を小さくすることで収差の発生を小さくすることができる。
【００４２】
このとき、条件式(７)を満足するようにすると良い。
−１５．０＜（Ｒnr＋Ｒnf）／（Ｒnr−Ｒnf）＜−１．０・・・（７）
ただし、Ｒnrは前記第１レンズ群の負レンズの像面側の曲率半径、
Ｒnfは前記第１レンズ群の負レンズの物体側の曲率半径
である。
【００４３】
条件式（７）の上限内に設定することで、負パワー維持のために両レンズ面の曲率半径を極端に小さくする必要が無く、高次の色収差が発生を抑える上で好ましくなる。条件式（７）の下限内に設定することで、負パワーを確保でき、この群の正レンズによる収差を十分に打ち消す上で好ましい構成となる。
【００４４】
なお、条件式（７）'を満たすとより好ましい。
−１２．０＜（Ｒnr＋Ｒnf）／（Ｒnr−Ｒnf）＜−４．０・・・（７）’
【００４５】
また、条件式（７）’’を満たすとさらに好ましい。
−９．３＜（Ｒnr＋Ｒnf）／（Ｒnr−Ｒnf）＜−７．５  ・・・（７）’’
【００４６】
また、第１レンズ群を２枚からなる構成としたとき、第１レンズ群に比較的強い正パワーを持たせつつ単色の収差と色収差を抑え良好な収差性能を得るためには、負レンズの屈折率をなるべく高くし、負レンズと正レンズのアッベ数差はなるべく大きくするのがよい。そこで、負レンズ、正レンズの硝材について条件式（８）及び条件式（９）を満足するようにすると良い。
０．２０＜Ｎd1n−Ｎd1p＜０．７０                   ・・・（８）
３５＜νd1p−νd1n＜８０                           ・・・（９）
ただし、Ｎd1nは前記第１レンズ群内の負レンズのｄ線に対する屈折率、
νd1nは前記第１レンズ群内の負レンズのアッベ数、
Ｎd1pは前記第１レンズ群内の正レンズのｄ線に対する屈折率、
νd1pは前記第１レンズ群内の正レンズのアッベ数、
である。
【００４７】
条件式（８）の上限内に設定することで、正レンズの屈折率が低くなるのを抑え、レンズ面の曲率半径が小さくならないようにすることで、特に望遠端で発生し易いコマ収差の発生を抑える上で好ましい構成となる。条件式（８）の下限内に設定することで、第１レンズ群の正レンズの屈折率が高くなりすぎないようにして、負レンズとのアッベ数差を確保し、十分な色収差補正を行う上で好ましい構成となる。
【００４８】
なお、条件式（８）'を満たすとより好ましい。
０．３０＜Ｎd1n−Ｎd1p＜０．６５                   ・・・（８）’
【００４９】
また、条件式（８）’’を満たすとさらに好ましい。
０．４０＜Ｎd1n−Ｎd1p＜０．６０                   ・・・（８）’’
【００５０】
条件式（９）の上限内に設定することで、正レンズの屈折率が低くなるのを抑え、レンズ面の曲率半径が小さくならないようにすることで、特に望遠端で発生し易いコマ収差の
発生を抑える上で好ましい構成となる。レンズ面の曲率半径が大きくなり、特に望遠端でのコマ収差が過剰に発生してしまう。条件式（９）の下限内に設定することで、第１レンズ群の正レンズの屈折率が高くなりすぎないようにして、負レンズとのアッベ数差を確保し、十分な色収差補正を行う上で好ましい構成となる。
【００５１】
なお、条件式（９）'を満たすとより好ましい。
３７＜νd1p−νd1n＜７５                           ・・・（９）’
【００５２】
また、条件式（９）’’を満たすとさらに好ましい。
４０＜νd1p−νd1n＜７０                           ・・・（９）’’
【００５３】
また第１レンズ群のパワーについて、以下の条件式を満たすようにすると良い。
０．２＜ｆ1／ｆt＜１．０                       ・・・（１０）
ただし、ｆ1は前記第１レンズ群の焦点距離、
ｆtは望遠端でのズームレンズ全系の焦点距離
である。
【００５４】
条件式（１０）の上限内に設定することで、第１レンズ群のパワーが小さくなるのを抑え、ズームレンズ全系の全長を短くし鏡筒の小型化を達成する上で好ましくなる。条件式（１０）の下限内に設定することで、パワーが強くなりすぎるのを抑え、望遠端での球面収差やコマ収差の発生を低減させ、良好な光学性能を確保する上で好ましくなる。
【００５５】
なお、条件式（１０）'を満たすとより好ましい。
０．５＜ｆ1／ｆt＜０．８                       ・・・（１０）’
【００５６】
また、条件式（１０）’’を満たすとさらに好ましい。
０．６＜ｆ1／ｆt＜０．７５                     ・・・（１０）’’
【００５７】
また第２レンズ群の焦点距離について、以下を満足するようにすると良い。
−０．５＜ｆ2／ｆt＜−０．０５                 ・・・（１１）
ただし、ｆ2は前記第２レンズ群の焦点距離、
ｆtは望遠端でのズームレンズ全系の焦点距離
である。
【００５８】
これは、小型化と収差性能のバランスに関する条件式である。条件式（１１）の上限内に設定することで、第２レンズ群のパワーが強くなり過ぎるのを抑え、広角端の軸外諸収差や望遠端での球面収差の発生を小さくする上で好ましい構成となる。条件式（１１）の下限内に設定することで、第２レンズ群のパワー力が弱くなりすぎるのを抑え、レンズ全系を小型化するために好ましい。
【００５９】
なお、条件式（１１）'を満たすとより好ましい。
−０．２＜ｆ2／ｆt＜−０．１０                 ・・・（１１）’
【００６０】
また、条件式（１１）’’を満たすとさらに好ましい。
−０．１５＜ｆ2／ｆt＜−０．１３               ・・・（１１）’’
【００６１】
また、本発明のズームレンズは、物体側から順に正屈折力の第１レンズ群、負屈折力の第２レンズ群、正屈折力の第３レンズ群、正屈折力の第４レンズ群の４群構成からなる構成としてもよい。第３レンズ群の像面側に正屈折力の第４レンズ群を配置することにより、射出瞳を遠ざけることが容易になり、撮像素子との相性による周辺減光を小さく抑える
ことができる。
【００６２】
４つのレンズ群からなる構成とし、その際、明るさ絞りをズームレンズ光学系に有するときは、広角端から望遠端への変倍時に、第１レンズ群は広角端よりも望遠端で物体側にあるように移動し、第２レンズ群は移動し、第３レンズ群は広角端よりも望遠端で物体側にあるように移動し、第４レンズ群は移動し、前記明るさ絞りは移動するようにするとよい。その際、第１レンズ群は物体側へのみ移動させてもよいし、物体側あるいは像側に凸の軌跡で移動させてもよい。第２レンズ群は物体側へのみ移動させてもよいし、物体側あるいは像側に凸の軌跡で移動させてもよい。第３レンズ群は物体側へのみ移動させてもよいし、物体側に凸の軌跡で移動させてもよい。第４レンズ群は広角端よりも望遠端で物体側にあるように移動させてもよいし、像側にあるように移動させてもよい。単調に移動させてもよいし、物体側あるいは像側に凸の軌跡で移動させてもよい。
【００６３】
また、本発明のズームレンズは、物体側から順に正の第１レンズ群、負の第２レンズ群、正の第３レンズ群、負の第４レンズ群、正の第５レンズ群の５群構成からなる構成としてもよい。このとき、明るさ絞りをズームレンズ光学系に有するときは、広角端から望遠端への変倍時に、第１レンズ群は広角端よりも望遠端で物体側にあるように移動し、第２レンズ群は移動し、第３レンズ群は広角端よりも望遠端で物体側にあるように移動し、第４レンズ群は移動し、第５レンズ群は移動し、前記明るさ絞りは移動するようにするとよい。
【００６４】
その際、第１レンズ群は物体側へのみ移動させてもよいし、物体側あるいは像側に凸の軌跡で移動させてもよい。第２レンズ群は物体側へのみ移動させてもよいし、物体側あるいは像側に凸の軌跡で移動させてもよい。第３レンズ群は物体側へのみ移動させてもよいし、物体側に凸の軌跡で移動させてもよい。第４レンズ群は物体側へのみ移動させてもよいし、物体側あるいは像側に凸の軌跡で移動させてもよい。第５レンズ群は広角端よりも望遠端で物体側にあるように移動させてもよいし、像側にあるように移動させてもよい。単調に移動させてもよいし、物体側あるいは像側に凸の軌跡で移動させてもよい。
【００６５】
また、明るさ絞り及びシャッターユニットは、第２レンズ群と第３レンズ群の間に配置し、変倍時に第３レンズ群と一体で移動させると良い。入射瞳を物体側からみて近い位置に位置させることができ、射出瞳を像面から遠ざけることができる。また、軸外光線の高さが低くなる場所であるのでシャッターユニットが大型化せずにすみ、明るさ絞り及びシャッターユニットを移動させるときのデッドスペースが小さくてすむ。このようにすべてのレンズ群を移動させることにより、各レンズ群に変倍作用を効果的に与えることが可能になり、広角化・高変倍化しても高性能を達成することができるようになる。また明るさ絞りを移動させることにより、倍率色収差や歪曲収差の効果的補正が可能になって性能面で効果を出せるだけでなく、入射瞳位置、射出瞳位置を適切にコントロールすることが可能となる。すなわち、広角端における軸外光束の光線高と望遠端の軸外光束の光線高のバランスがとれるようになり、第１レンズ群の外径と最も像面側のレンズ群の外径をバランスよくコンパクトに構成することが可能となる。特に広角端での第１レンズ群の外径を小さくすることはレンズの厚み方向の大きさのコンパクト化にも効果的につながる。また変倍の際の射出瞳位置の変動を小さくするようにコントロールすることもできるようになるため、ＣＣＤやＣＭＯＳ等に入射する光線角度を適当な範囲に保ち画面の隅での明るさのかげり（シェーディング）の発生を防ぐことができ、電子撮像素子に好適となる。
【００６６】
また、レンズ枚数は、全部で９枚以下からなる構成とするのが良い。それより枚数が多いとズームレンズ系が大型化したり、コストが高くなる。
【００６７】
また、ズームレンズにより形成された像を電気信号に変換する撮像素子を有することで
、小型化と高変倍比化・広角化に有利であり、撮影画像の画質も良好に維持し易い電子撮像素子装置を提供することができる。
【００６８】
また、本発明のズームレンズは以下の条件式を満足するのが良い。
０．５＜Ｉmw／ｆw＜１．０                       ・・・（１２）
ただし、Ｉmwは広角端での像高、
ｆwは広角端におけるズームレンズ全系の焦点距離
である。
【００６９】
条件式（１２）の上限を超えると、本発明の構成では十分な光学性能を確保するのが難しくなる。条件式（１２）の下限を超えると、より簡単な構成でも本発明の目的を達成できるため、本構成を採用することによるサイズやコストの面でのメリットが発揮できない。
【００７０】
なお、条件式（１２）'を満たすとより好ましい。
０．６＜Ｉmw／ｆw＜０．９５                     ・・・（１２）’
【００７１】
また、条件式（１２）’’を満たすとさらに好ましい。
０．７＜Ｉmw／ｆw＜０．８                       ・・・（１２）’’
【００７２】
また、レンズ全長について、以下の条件式を満足するようにすると良い。
５．０＜Ｌt／Ｉmw＜１７．５                     ・・・（１３）
ただし、Ｌtは望遠端でのズームレンズ全系の全長、
Ｉmwは広角端での像高
である。
【００７３】
条件式（１３）の上限内に設定することで、レンズ系の全長が長くなるのを抑え、沈胴状態の鏡枠サイズを小型化するのに好ましい構成となる。条件式（１３）の下限内に設定することで、各群のパワーが強くなりすぎるのを抑え諸収差の発生量を小さくするのに好ましくなる。
【００７４】
なお、条件式（１３）'を満たすとより好ましい。
８．０＜Ｌt／Ｉmw＜１６．８                     ・・・（１３）’
【００７５】
また、条件式（１３）’’を満たすとさらに好ましい。
１４．０＜Ｌt／Ｉmw＜１６．０                   ・・・（１３）’’
【００７６】
また、ズームレンズによるディストーションを含んだ電気信号を画像処理により、ディストーションを補正した画像信号に変換する画像変換部を有することが好ましい。ズームレンズのディストーションを許容することで、ズームレンズのレンズ枚数低減や小型化に一層有利となる。
【００７７】
また、ズームレンズによるディストーションを含んだ電気信号を画像処理により、各色ごとに補正する値を変えて歪み補正を行うことで、ディストーションと倍率色収差の補正可能な画像変換部を有することが好ましい。ズームレンズのディストーションや倍率色収差を許容することで、ズームレンズのレンズ枚数低減や小型化に一層有利となる。
【発明の効果】
【００７８】
以上の説明から明らかなように、本発明によれば、変倍比を上げながらレンズ全長を短くし、それによって生じる面精度の効きを抑え、良好な収差特性が得られる撮像装置を提供することが可能である。
【発明を実施するための最良の形態】
【００７９】
以下に示す本発明に基づく実施例では、上述のような工夫を施すことで、カメラの携帯性を損なうことなく従来よりも撮影領域を広げたいというユーザーの要望を満たせるような、カメラの小型化と広角化・高変倍比化を同時に満たしており、撮影画像の画質が良好に維持された、ＣＣＤやＣＭＯＳ等の電子撮像素子に適している、安価なズームレンズ光学系を提供している。
【００８０】
以下に示す各実施例は、撮像装置の立ち上げ時にレンズが繰り出すタイプのズームレンズおよびそれを備えた撮像装置の例である。実施例１乃至２０においては、高い光学性能を持ち、かつ、コンパクト性に優れたズームレンズとなっている。実施例１乃至２０は全ズーム状態にて有効撮像領域は矩形で一定である。各実施形態での条件式対応値は無限遠物点に合焦した状態での値である。全長は、レンズの入射面から射出面までの光軸上の距離にバックフォーカスを加えたものである。バックフォーカスは、空気換算長で示している。
【００８１】
以下、本発明のズームレンズの実施例１〜１０について説明する。実施例１〜１０の無限遠物点合焦時の広角端（ａ）、中間状態（ｂ）、望遠端（ｃ）でのレンズ断面図をそれぞれ図１〜図１０に示す。各図中、第１レンズ群はＧ１、第２レンズ群はＧ２、開口絞りはＳ、第３レンズ群はＧ３、第４レンズ群はＧ４、第５レンズ群はＧ５、光学的ローパスフィルターはＦ、電子撮像素子であるＣＣＤのカバーガラスはＣ、ＣＣＤの像面はＩで示してある。なお、近赤外シャープカットコートについては、例えば光学的ローパスフィルターＦに直接コートを施こしてもよく、また、別に赤外カット吸収フィルターを配置してもよい。
【００８２】
なお、実施例１１〜２０に関しては、それぞれ実施例１〜１０と同様に構成されているので、図を省略する。
【００８３】
実施例１のズームレンズは、図１に示すように、物体側から順に、正屈折力の第１レンズ群Ｇ１、負屈折力の第２レンズ群Ｇ２、開口絞りＳ、正屈折力の第３レンズ群Ｇ３、正屈折力の第４レンズ群Ｇ４、負屈折力の第５レンズ群Ｇ５から構成されている。
【００８４】
広角端から望遠端への変倍をする際の移動状態を以下に示す。ここで、広角端から望遠端までの間で第２レンズ群Ｇ２、第３レンズ群Ｇ３又は第４レンズ群Ｇ４の移動方向の変化する点を中間状態とした。以下、同じ。
【００８５】
第１レンズ群Ｇ１は、広角端から望遠端まで、物体側へ移動する。
【００８６】
第２レンズ群Ｇ２は、広角端から中間状態まで、第１レンズ群Ｇ１との間隔を広げ、第３レンズ群Ｇ３との間隔を狭めながら物体側に移動し、中間状態から望遠端まで、第１レンズ群Ｇ１との間隔を広げ、第３レンズ群Ｇ３との間隔を狭めながら像側に移動する。中間状態では、広角端の位置より物体側に位置し、望遠端では、広角端の位置より若干像側に位置する。
【００８７】
開口絞りＳと第３レンズ群Ｇ３は、広角端から望遠端まで、一体に物体側へ移動する。
【００８８】
第４レンズ群Ｇ４は、広角端から中間状態まで、第３レンズ群Ｇ３との間隔を広げ、第５レンズ群Ｇ５との間隔を広げながら物体側に移動し、中間状態から望遠端まで、第３レンズ群Ｇ３との間隔を広げ、第５レンズ群Ｇ５との間隔を狭めながら像側に移動する。中
間状態では、広角端の位置より若干物体側に位置し、望遠端では、広角端の位置より像側に位置する。
【００８９】
物体側から順に、第１レンズ群Ｇ１は、物体側に凸面を向けた負メニスカスレンズと両凸正レンズの接合レンズからなり、第２レンズ群Ｇ２は、両凹負レンズと、両凸正レンズと両凹負レンズの接合レンズとからなり、第３レンズ群Ｇ３は、両凸正レンズと、物体側に凸面を向けた負メニスカスレンズとからなり、第４レンズ群Ｇ４は、両凸正レンズ１枚からなり、第５レンズ群Ｇ５は、像側に凸面を向けた負メニスカスレンズ１枚からなる。
【００９０】
非球面は、第１レンズ群Ｇ１の接合レンズの最も像側の面、第２レンズ群Ｇ２の両凹負レンズの両面、接合レンズの最も像側の面、第３レンズ群Ｇ３の両凸正レンズの両面、負メニスカスレンズの像側の面、第５レンズ群Ｇ５の負メニスカスレンズの物体側の面の８面に用いている。
【００９１】
実施例２のズームレンズは、図２に示すように、物体側から順に、正屈折力の第１レンズ群Ｇ１、負屈折力の第２レンズ群Ｇ２、開口絞りＳ、正屈折力の第３レンズ群Ｇ３、正屈折力の第４レンズ群Ｇ４から構成されている。
【００９２】
第１レンズ群Ｇ１は、広角端から望遠端まで、物体側へ移動する。
【００９３】
第２レンズ群Ｇ２は、広角端から中間状態まで、第１レンズ群Ｇ１との間隔を広げ、第３レンズ群Ｇ３との間隔を狭めながら物体側に移動し、中間状態から望遠端まで、第１レンズ群Ｇ１との間隔を広げ、第３レンズ群Ｇ３との間隔を狭めながら像側に移動する。中間状態では、広角端の位置より若干物体側に位置し、望遠端では、広角端の位置より像側に位置する。
【００９４】
開口絞りＳと第３レンズ群Ｇ３は、広角端から中間状態まで、第２レンズ群Ｇ２との間隔を狭め、第４レンズ群Ｇ４との間隔を広げながら物体側に移動し、中間状態から望遠端まで、第２レンズ群Ｇ２との間隔を狭め、第４レンズ群Ｇ４との間隔を広げながら像側に移動する。中間状態では、広角端の位置より物体側に位置し、望遠端では、広角端の位置より物体側、中間状態より像側に位置する。
【００９５】
第４レンズ群Ｇ４は、広角端から望遠端まで、第３レンズ群Ｇ３との間隔を広げながら像側に移動する。中間状態では、広角端の位置より像側に位置し、望遠端では、中間状態の位置より像側に位置する。
【００９６】
物体側から順に、第１レンズ群Ｇ１は、物体側に凸面を向けた負メニスカスレンズと両凸正レンズの接合レンズからなり、第２レンズ群Ｇ２は、両凹負レンズと、両凸正レンズと両凹負レンズの接合レンズとからなり、第３レンズ群Ｇ３は、両凸正レンズと、物体側に凸面を向けた負メニスカスレンズとからなり、第４レンズ群Ｇ４は、像側に凸面を向けた正メニスカスレンズからなる。
【００９７】
非球面は、第１レンズ群Ｇ１の接合レンズの最も像側の面、第２レンズ群Ｇ２の両凹負レンズの両面、接合レンズの最も像側の面、第３レンズ群Ｇ３の両凸正レンズの両面、負メニスカスレンズの像側の面、第４レンズ群Ｇ４の正メニスカスレンズの像側の面の８面に用いている。
【００９８】
実施例３のズームレンズは、図３に示すように、物体側から順に、正屈折力の第１レンズ群Ｇ１、負屈折力の第２レンズ群Ｇ２、開口絞りＳ、正屈折力の第３レンズ群Ｇ３、正屈折力の第４レンズ群Ｇ４から構成されている。
【００９９】
広角端から望遠端への変倍をする際の移動状態を以下に示す。
【０１００】
第１レンズ群Ｇ１は、広角端から望遠端まで、物体側へ移動する。
【０１０１】
第２レンズ群Ｇ２は、広角端から中間状態まで、第１レンズ群Ｇ１との間隔を広げ、第３レンズ群Ｇ３との間隔を狭めながら物体側に移動し、中間状態から望遠端まで、第１レンズ群Ｇ１との間隔を広げ、第３レンズ群Ｇ３との間隔を狭めながら像側に移動する。中間状態では、広角端の位置より若干物体側に位置し、望遠端では、広角端の位置より像側に位置する。
【０１０２】
開口絞りＳと第３レンズ群Ｇ３は、広角端から中間状態まで、第２レンズ群Ｇ２との間隔を狭め、第４レンズ群Ｇ４との間隔を広げながら物体側に移動し、中間状態から望遠端まで、第２レンズ群Ｇ２との間隔を狭め、第４レンズ群Ｇ４との間隔を広げながら像側に移動する。中間状態では、広角端の位置より物体側に位置し、望遠端では、中間状態の位置より物体側に位置する。
【０１０３】
第４レンズ群Ｇ４は、広角端から望遠端まで、第３レンズ群Ｇ３との間隔を広げながら像側に移動する。中間状態では、広角端の位置より若干像側に位置し、望遠端では、中間状態の位置より像側に位置する。
【０１０４】
物体側から順に、第１レンズ群Ｇ１は、物体側に凸面を向けた負メニスカスレンズと両凸正レンズの接合レンズからなり、第２レンズ群Ｇ２は、両凹負レンズと、像側に凸面を向けた正メニスカスレンズと両凹負レンズの接合レンズとからなり、第３レンズ群Ｇ３は、両凸正レンズと、物体側に凸面を向けた正メニスカスレンズと物体側に凸面を向けた負メニスカスレンズの接合レンズとからなり、第４レンズ群Ｇ４は、両凸正レンズからなる。
【０１０５】
非球面は、第１レンズ群Ｇ１の接合レンズの最も像側の面、第２レンズ群Ｇ２の両凹負レンズの両面、接合レンズの最も像側の面、第３レンズ群Ｇ３の両凸正レンズの両面、第４レンズ群Ｇ４の両凸正レンズの両面の８面に用いている。
【０１０６】
実施例４のズームレンズは、図４に示すように、物体側から順に、正屈折力の第１レンズ群Ｇ１、負屈折力の第２レンズ群Ｇ２、開口絞りＳ、正屈折力の第３レンズ群Ｇ３、正屈折力の第４レンズ群Ｇ４から構成されている。
【０１０７】
広角端から望遠端への変倍をする際の移動状態を以下に示す。
【０１０８】
第１レンズ群Ｇ１は、広角端から望遠端まで、物体側へ移動する。
【０１０９】
第２レンズ群Ｇ２は、広角端から中間状態まで、第１レンズ群Ｇ１との間隔を広げ、第３レンズ群Ｇ３との間隔を狭めながら物体側に移動し、中間状態から望遠端まで、第１レンズ群Ｇ１との間隔を広げ、第３レンズ群Ｇ３との間隔を狭めながら像側に移動する。中間状態では、広角端の位置より若干物体側に位置し、望遠端では、広角端の位置より像側に位置する。
【０１１０】
開口絞りＳと第３レンズ群Ｇ３は、広角端から中間状態まで、第２レンズ群Ｇ２との間隔を狭め、第４レンズ群Ｇ４との間隔を広げながら物体側に移動し、中間状態から望遠端まで、第２レンズ群Ｇ２との間隔を狭め、第４レンズ群Ｇ４との間隔を広げながら像側に移動する。中間状態では、広角端の位置より物体側に位置し、望遠端では、中間状態の位
置より物体側に位置する。
【０１１１】
第４レンズ群Ｇ４は、広角端から望遠端まで、第３レンズ群Ｇ３との間隔を広げながら像側に移動する。中間状態では、広角端の位置より若干像側に位置し、望遠端では、中間状態の位置より像側に位置する。
【０１１２】
物体側から順に、第１レンズ群Ｇ１は、物体側に凸面を向けた負メニスカスレンズと両凸正レンズの接合レンズからなり、第２レンズ群Ｇ２は、両凹負レンズと、像側に凸面を向けた正メニスカスレンズと両凹負レンズの接合レンズとからなり、第３レンズ群Ｇ３は、両凸正レンズと、物体側に凸面を向けた正メニスカスレンズと物体側に凸面を向けた負メニスカスレンズの接合レンズとからなり、第４レンズ群Ｇ４は、両凸正レンズからなる。
【０１１３】
非球面は、第１レンズ群Ｇ１の接合レンズの最も像側の面、第２レンズ群Ｇ２の両凹負レンズの両面、接合レンズの最も像側の面、第３レンズ群Ｇ３の両凸正レンズの両面、第４レンズ群Ｇ４の両凸正レンズの両面の８面に用いている。
【０１１４】
実施例５のズームレンズは、図５に示すように、物体側から順に、正屈折力の第１レンズ群Ｇ１、負屈折力の第２レンズ群Ｇ２、開口絞りＳ、正屈折力の第３レンズ群Ｇ３、正屈折力の第４レンズ群Ｇ４から構成されている。
【０１１５】
広角端から望遠端への変倍をする際の移動状態を以下に示す。
【０１１６】
第１レンズ群Ｇ１は、広角端から望遠端まで、物体側へ移動する。
【０１１７】
第２レンズ群Ｇ２は、広角端から中間状態まで、第１レンズ群Ｇ１との間隔を広げ、第３レンズ群Ｇ３との間隔を狭めながら物体側に移動し、中間状態から望遠端まで、第１レンズ群Ｇ１との間隔を広げ、第３レンズ群Ｇ３との間隔を狭めながら像側に移動する。中間状態では、広角端の位置より若干物体側に位置し、望遠端では、広角端の位置より像側に位置する。
【０１１８】
開口絞りＳと第３レンズ群Ｇ３は、広角端から中間状態まで、第２レンズ群Ｇ２との間隔を狭め、第４レンズ群Ｇ４との間隔を広げながら物体側に移動し、中間状態から望遠端まで、第２レンズ群Ｇ２との間隔を狭め、第４レンズ群Ｇ４との間隔を広げながら像側に移動する。中間状態では、広角端の位置より物体側に位置し、望遠端では、広角端の位置より物体側、中間状態より若干像側に位置する。
【０１１９】
第４レンズ群Ｇ４は、広角端から望遠端まで、第３レンズ群Ｇ３との間隔を広げながら像側に移動する。中間状態では、広角端の位置より像側に位置し、望遠端では、中間状態の位置より像側に位置する。
【０１２０】
物体側から順に、第１レンズ群Ｇ１は、物体側に凸面を向けた負メニスカスレンズと両凸正レンズの接合レンズからなり、第２レンズ群Ｇ２は、両凹負レンズと、両凸正レンズと両凹負レンズの接合レンズとからなり、第３レンズ群Ｇ３は、両凸正レンズと、物体側に凸面を向けた負メニスカスレンズとからなり、第４レンズ群Ｇ４は、像側に凸面を向けた正メニスカスレンズからなる。
【０１２１】
非球面は、第１レンズ群Ｇ１の接合レンズの最も像側の面、第２レンズ群Ｇ２の両凹負レンズの両面、接合レンズの最も像側の面、第３レンズ群Ｇ３の両凸正レンズの両面、負メニスカスレンズの像側の面、第４レンズ群Ｇ４の正メニスカスレンズの像側の面の８面
に用いている。
【０１２２】
実施例６のズームレンズは、図６に示すように、物体側から順に、正屈折力の第１レンズ群Ｇ１、負屈折力の第２レンズ群Ｇ２、開口絞りＳ、正屈折力の第３レンズ群Ｇ３、正屈折力の第４レンズ群Ｇ４から構成されている。
【０１２３】
広角端から望遠端への変倍をする際の移動状態を以下に示す。
【０１２４】
第１レンズ群Ｇ１は、広角端から望遠端まで、物体側へ移動する。
【０１２５】
第２レンズ群Ｇ２は、広角端から中間状態まで、第１レンズ群Ｇ１との間隔を広げ、第３レンズ群Ｇ３との間隔を狭めながら物体側に移動し、中間状態から望遠端まで、第１レンズ群Ｇ１との間隔を広げ、第３レンズ群Ｇ３との間隔を狭めながら像側に移動する。中間状態では、広角端の位置より若干物体側に位置し、望遠端では、広角端の位置より像側に位置する。
【０１２６】
開口絞りＳと第３レンズ群Ｇ３は、広角端から中間状態まで、第２レンズ群Ｇ２との間隔を狭め、第４レンズ群Ｇ４との間隔を広げながら物体側に移動し、中間状態から望遠端まで、第２レンズ群Ｇ２との間隔を狭め、第４レンズ群Ｇ４との間隔を広げながら像側に移動する。中間状態では、広角端の位置より物体側に位置し、望遠端では、中間状態の位置より物体側に位置する。
【０１２７】
第４レンズ群Ｇ４は、広角端から望遠端まで、第３レンズ群Ｇ３との間隔を広げながら像側に移動する。中間状態では、広角端の位置より若干像側に位置し、望遠端では、中間状態の位置より像側に位置する。
【０１２８】
物体側から順に、第１レンズ群Ｇ１は、物体側に凸面を向けた負メニスカスレンズと、両凸正レンズとからなり、第２レンズ群Ｇ２は、両凹負レンズと、像側に凸面を向けた正メニスカスレンズと両凹負レンズの接合レンズとからなり、第３レンズ群Ｇ３は、両凸正レンズと、物体側に凸面を向けた正メニスカスレンズと物体側に凸面を向けた負メニスカスレンズの接合レンズとからなり、第４レンズ群Ｇ４は、両凸正レンズからなる。
【０１２９】
非球面は、第１レンズ群Ｇ１の両凸正レンズの像側の面、第２レンズ群Ｇ２の両凹負レンズの両面、接合レンズの最も像側の面、第３レンズ群Ｇ３の両凸正レンズの両面、第４レンズ群Ｇ４の両凸正レンズの両面の８面に用いている。
【０１３０】
実施例７のズームレンズは、図７に示すように、物体側から順に、正屈折力の第１レンズ群Ｇ１、負屈折力の第２レンズ群Ｇ２、開口絞りＳ、正屈折力の第３レンズ群Ｇ３、正屈折力の第４レンズ群Ｇ４から構成されている。
【０１３１】
広角端から望遠端への変倍をする際の移動状態を以下に示す。
【０１３２】
第１レンズ群Ｇ１は、広角端から望遠端まで、物体側へ移動する。
【０１３３】
第２レンズ群Ｇ２は、広角端から中間状態まで、第１レンズ群Ｇ１との間隔を広げ、第３レンズ群Ｇ３との間隔を狭めながら物体側に移動し、中間状態から望遠端まで、第１レンズ群Ｇ１との間隔を広げ、第３レンズ群Ｇ３との間隔を狭めながら像側に移動する。中間状態では、広角端の位置より若干物体側に位置し、望遠端では、広角端の位置より像側に位置する。
【０１３４】
開口絞りＳと第３レンズ群Ｇ３は、広角端から中間状態まで、第２レンズ群Ｇ２との間隔を狭め、第４レンズ群Ｇ４との間隔を広げながら物体側に移動し、中間状態から望遠端まで、第２レンズ群Ｇ２との間隔を狭め、第４レンズ群Ｇ４との間隔を広げながら像側に移動する。中間状態では、広角端の位置より物体側に位置し、望遠端では、中間状態の位置より物体側に位置する。
【０１３５】
第４レンズ群Ｇ４は、広角端から望遠端まで、第３レンズ群Ｇ３との間隔を広げながら像側に移動する。中間状態では、広角端の位置より若干像側に位置し、望遠端では、中間状態の位置より像側に位置する。
【０１３６】
物体側から順に、第１レンズ群Ｇ１は、物体側に凸面を向けた負メニスカスレンズと両凸正レンズの接合レンズからなり、第２レンズ群Ｇ２は、両凹負レンズと、像側に凸面を向けた正メニスカスレンズと、両凹負レンズとからなり、第３レンズ群Ｇ３は、両凸正レンズと、物体側に凸面を向けた正メニスカスレンズと物体側に凸面を向けた負メニスカスレンズの接合レンズとからなり、第４レンズ群Ｇ４は、両凸正レンズからなる。
【０１３７】
非球面は、第１レンズ群Ｇ１の接合レンズの最も像側の面、第２レンズ群Ｇ２の物体側に位置する両凹負レンズの両面、像側に位置する両凹負レンズの像側の面、第３レンズ群Ｇ３の両凸正レンズの両面、第４レンズ群Ｇ４の両凸正レンズの両面の８面に用いている。
【０１３８】
実施例８のズームレンズは、図８に示すように、物体側から順に、正屈折力の第１レンズ群Ｇ１、負屈折力の第２レンズ群Ｇ２、開口絞りＳ、正屈折力の第３レンズ群Ｇ３、正屈折力の第４レンズ群Ｇ４から構成されている。
【０１３９】
広角端から望遠端への変倍をする際の移動状態を以下に示す。
【０１４０】
第１レンズ群Ｇ１は、広角端から望遠端まで、物体側へ移動する。
【０１４１】
第２レンズ群Ｇ２は、広角端から中間状態まで、第１レンズ群Ｇ１との間隔を広げ、第３レンズ群Ｇ３との間隔を狭めながら物体側に移動し、中間状態から望遠端まで、第１レンズ群Ｇ１との間隔を広げ、第３レンズ群Ｇ３との間隔を狭めながら像側に移動する。中間状態では、広角端の位置より若干物体側に位置し、望遠端では、広角端の位置より像側に位置する。
【０１４２】
開口絞りＳと第３レンズ群Ｇ３は、広角端から中間状態まで、第２レンズ群Ｇ２との間隔を狭め、第４レンズ群Ｇ４との間隔を広げながら物体側に移動し、中間状態から望遠端まで、第２レンズ群Ｇ２との間隔を狭め、第４レンズ群Ｇ４との間隔を広げながら像側に移動する。中間状態では、広角端の位置より物体側に位置し、望遠端では、中間状態の位置より物体側に位置する。
【０１４３】
第４レンズ群Ｇ４は、広角端から望遠端まで、第３レンズ群Ｇ３との間隔を広げながら像側に移動する。中間状態では、広角端の位置より若干像側に位置し、望遠端では、中間状態の位置より像側に位置する。
【０１４４】
物体側から順に、第１レンズ群Ｇ１は、物体側に凸面を向けた負メニスカスレンズと、両凸正レンズとからなり、第２レンズ群Ｇ２は、両凹負レンズと、像側に凸面を向けた正メニスカスレンズと、両凹負レンズとからなり、第３レンズ群Ｇ３は、両凸正レンズと、物体側に凸面を向けた正メニスカスレンズと物体側に凸面を向けた負メニスカスレンズの接合レンズとからなり、第４レンズ群Ｇ４は、両凸正レンズからなる。
【０１４５】
非球面は、第１レンズ群Ｇ１の両凸正レンズの像側の面、第２レンズ群Ｇ２の物体側に位置する両凹負レンズの両面、像側に位置する両凹負レンズの像側の面、第３レンズ群Ｇ３の両凸正レンズの両面、第４レンズ群Ｇ４の両凸正レンズの両面の８面に用いている。
【０１４６】
実施例９のズームレンズは、図９に示すように、物体側から順に、正屈折力の第１レンズ群Ｇ１、負屈折力の第２レンズ群Ｇ２、開口絞りＳ、正屈折力の第３レンズ群Ｇ３、正屈折力の第４レンズ群Ｇ４から構成されている。
【０１４７】
広角端から望遠端への変倍をする際の移動状態を以下に示す。
【０１４８】
第１レンズ群Ｇ１は、広角端から望遠端まで、物体側へ移動する。
【０１４９】
第２レンズ群Ｇ２は、広角端から中間状態まで、第１レンズ群Ｇ１との間隔を広げ、第３レンズ群Ｇ３との間隔を狭めながら像側に移動し、中間状態から望遠端まで、第１レンズ群Ｇ１との間隔を広げ、第３レンズ群Ｇ３との間隔を狭めながら像側に移動する。中間状態では、広角端の位置より像側に位置し、望遠端では、中間状態の位置より像側に位置する。
【０１５０】
開口絞りＳと第３レンズ群Ｇ３は、広角端から望遠端まで、一体に物体側へ移動する。
【０１５１】
第４レンズ群Ｇ４は、広角端から中間状態まで、第３レンズ群Ｇ３との間隔を広げ、第５レンズ群Ｇ５との間隔を広げながら物体側に移動し、中間状態から望遠端まで、第３レンズ群Ｇ３との間隔を広げ、第５レンズ群Ｇ５との間隔を狭めながら像側に移動する。中間状態では、広角端の位置より物体側に位置し、望遠端では、広角端の位置より像側に位置する。
【０１５２】
物体側から順に、第１レンズ群Ｇ１は、物体側に凸面を向けた負メニスカスレンズと両凸正レンズの接合レンズからなり、第２レンズ群Ｇ２は、両凹負レンズと、両凸正レンズと両凹負レンズの接合レンズとからなり、第３レンズ群Ｇ３は、両凸正レンズと、物体側に凸面を向けた負メニスカスレンズとからなり、第４レンズ群Ｇ４は、両凸正レンズ１枚からなる。
【０１５３】
非球面は、第１レンズ群Ｇ１の接合レンズの最も像側の面、第２レンズ群Ｇ２の両凹負レンズの両面、接合レンズの最も像側の面、第３レンズ群Ｇ３の両凸正レンズの両面、負メニスカスレンズの像側の面、第４レンズ群Ｇ４の両凸正レンズの物体側の面の８面に用いている。
【０１５４】
実施例１０のズームレンズは、図１０に示すように、物体側から順に、正屈折力の第１レンズ群Ｇ１、負屈折力の第２レンズ群Ｇ２、開口絞りＳ、正屈折力の第３レンズ群Ｇ３、正屈折力の第４レンズ群Ｇ４から構成されている。
【０１５５】
広角端から望遠端への変倍をする際の移動状態を以下に示す。
【０１５６】
第１レンズ群Ｇ１は、広角端から望遠端まで、物体側へ移動する。
【０１５７】
第２レンズ群Ｇ２は、広角端から中間状態まで、第１レンズ群Ｇ１との間隔を広げ、第３レンズ群Ｇ３との間隔を狭めながら像側に移動し、中間状態から望遠端まで、第１レンズ群Ｇ１との間隔を広げ、第３レンズ群Ｇ３との間隔を狭めながら像側に移動する。中間状態では、広角端の位置より像側に位置し、望遠端では、中間状態の位置より像側に位置
する。
【０１５８】
開口絞りＳと第３レンズ群Ｇ３は、広角端から望遠端まで、一体に物体側へ移動する。
【０１５９】
第４レンズ群Ｇ４は、広角端から中間状態まで、第３レンズ群Ｇ３との間隔を広げ、第５レンズ群Ｇ５との間隔を広げながら物体側に移動し、中間状態から望遠端まで、第３レンズ群Ｇ３との間隔を広げ、第５レンズ群Ｇ５との間隔を狭めながら像側に移動する。中間状態では、広角端の位置より物体側に位置し、望遠端では、広角端の位置より像側に位置する。
【０１６０】
物体側から順に、第１レンズ群Ｇ１は、物体側に凸面を向けた負メニスカスレンズと両凸正レンズの接合レンズからなり、第２レンズ群Ｇ２は、両凹負レンズと、像側に凸面を向けた正メニスカスレンズと像側に凸面を向けた負メニスカスレンズの接合レンズとからなり、第３レンズ群Ｇ３は、両凸正レンズと、物体側に凸面を向けた負メニスカスレンズとからなり、第４レンズ群Ｇ４は、両凸正レンズ１枚からなる。
【０１６１】
非球面は、第１レンズ群Ｇ１の接合レンズの最も像側の面、第２レンズ群Ｇ２の両凹負レンズの両面、接合レンズの最も像側の面、第３レンズ群Ｇ３の両凸正レンズの両面、負メニスカスレンズの像側の面、第４レンズ群Ｇ４の両凸正レンズの物体側の面の８面に用いている。
【０１６２】
以下、各実施例におけるレンズの数値データを示す。
【０１６３】
なお、実施例１１〜２０に関しては、それぞれ実施例１〜１０と同様に構成されており、各種データのみを示す。
【０１６４】
各実施例におけるレンズの数値データにおいては、ｒは各レンズ面の曲率半径、ｄは各レンズの肉厚または間隔、ｎｄは各レンズのｄ線における屈折率、νｄは各レンズのｄ線におけるアッベ数、Kは円錐係数、A4、A6、A8、A10は非球面係数、E±nは×１０±nをそ
れぞれ示している。
【０１６５】
また、各非球面形状は、各実施例における各非球面係数を用いて、以下の式で表される。
【０１６６】
Ｚ＝（Ｙ2／ｒ）／[１＋｛１−（１＋Ｋ）・（Ｙ／ｒ）2｝1/2]
＋A4×Ｙ4＋A6×Ｙ6＋A8×Ｙ8＋A10×Ｙ10
ただし、光軸方向の座標をＺ、光軸と垂直な方向の座標をＹとする。
【０１６７】
数値実施例１
単位     ｍｍ
面データ
面番号               ｒ         ｄ        ｎｄ      νｄ
1               18.671      0.80     1.94595    17.98
2               16.177      3.85     1.49700    81.54
3（非球面）    -66.153      可変
4（非球面）    -24.070      0.80     1.85135    40.10
5（非球面）      5.779      2.57
6               59.959      1.60     2.00170    20.64
7              -12.272      0.60     1.77250    49.60
8（非球面）     54.857      可変
9（絞り）         ∞        0.30
10（非球面）      4.180      2.35     1.49700    81.54
11（非球面）    -14.626      0.10
12                5.823      0.70     2.00170    20.64
13（非球面）      3.620      可変
14               62.555      1.60     1.76802    49.24
15              -20.469      可変
16（非球面）    -46.810      0.40     1.52542    55.78
17              -75.059      0.50
18                 ∞        0.50     1.51633    64.14
19                 ∞        0.37
像面                ∞
非球面データ
第３面
K=0.000,A4=2.04323E-05,A6=-3.00803E-08
第４面
K=0.000,A4=1.18050E-03,A6=-4.90687E-05,A8=9.80445E-07,A10=-8.25305E-09
第５面
K=0.000,A4=1.21707E-03,A6=3.60823E-05,A8=-2.55122E-06,A10=-1.82263E-08
第８面
K=0.000,A4=-4.99108E-04,A6=-1.60668E-05,A8=4.60705E-07,A10=-4.90352E-09
第１０面
K=0.000,A4=-1.33737E-03,A6=-2.81594E-05,A8=-3.78589E-06,A10=-7.30724E-08
第１１面
K=0.000,A4=9.13071E-04,A6=-6.38110E-05,A8=2.56974E-06,A10=-2.74414E-08
第１３面
K=0.000,A4=-2.41554E-05,A6=8.05573E-05
第１６面
K=-0.082,A4=3.20633E-05,A6=3.75035E-07
各種データ
ズーム比         9.35
広角      中間      望遠
焦点距離         5.11     14.96     47.81
Ｆナンバー        3.54      5.23      6.00
画角          82.08     28.58      9.08
像高           3.88      3.88      3.88
レンズ全長       40.02     50.29     57.26
ＢＦ           1.19      1.16      1.28
d3            0.30      8.11     18.43
d8           12.41      5.40      1.14 
d13           4.28     13.50     17.72 
d15           6.16      6.44      3.03 
ズームレンズ群データ
群    始面    焦点距離
1       1       32.87
2       4       -6.53
3      10       11.08
4      14       20.15
5      16     -236.87
【０１６８】
数値実施例２
単位     ｍｍ
面データ
面番号               ｒ         ｄ        ｎｄ      νｄ
1               21.257      0.80     1.94595    17.98
2               18.209      3.85     1.49700    81.54
3（非球面）    -66.917      可変
4（非球面）    -22.219      0.80     1.76802    49.24
5（非球面）      5.481      1.89
6               74.445      1.60     1.94595    17.98
7              -23.299      0.60     1.76802    49.24
8（非球面）    215.699      可変
9（絞り）         ∞        0.30
10（非球面）      4.226      2.35     1.49700    81.54
11（非球面）    -16.223      0.10
12                5.044      0.70     2.00170    20.64
13（非球面）      3.439      可変
14              -21.102      1.60     1.51825    64.14
15（非球面）     -8.879      可変
16                 ∞        0.40     1.51633    64.14
17                 ∞        0.50
18                 ∞        0.50     1.51633    64.14
19                 ∞        0.37
像面                ∞
非球面データ
第３面
K=0.000,A4=1.43757E-05,A6=-1.36130E-08
第４面
K=0.000,A4=1.21703E-03,A6=-5.46492E-05,A8=1.04169E-06,A10=-7.77129E-09
第５面
K=0.000,A4=1.04613E-03,A6=3.25777E-05,A8=-2.65926E-06,A10=-1.84775E-08
第８面
K=0.000,A4=-4.17728E-04,A6=-2.92962E-05,A8=4.40061E-07,A10=-4.99489E-09
第１０面
K=0.000,A4=-1.10207E-03,A6=-2.77492E-05,A8=-3.77816E-06,A10=-7.30453E-08
第１１面
K=0.000,A4=9.87282E-04,A6=-6.65232E-05,A8=2.56751E-06,A10=-2.74580E-08
第１３面
K=0.000,A4=-1.52619E-05,A6=8.16567E-05
第１５面
K=-2.836
各種データ
ズーム比         9.35
広角      中間      望遠
焦点距離         5.10     14.79     49.26
Ｆナンバー        3.35      4.87      5.00
画角          81.14     27.47      8.45
像高           3.88      3.88      3.88
レンズ全長       39.80     48.84     56.76
ＢＦ           7.38      7.17      4.95
d3            0.30      9.12     22.08
d8           13.26      6.10      1.46 
d13           4.26     11.86     13.69 
d15           5.89      5.69      3.47 
ズームレンズ群データ
群    始面    焦点距離
1       1       36.74
2       4       -6.49
3      10       10.09
4      14       28.20
【０１６９】
数値実施例３
単位     ｍｍ
面データ
面番号               ｒ         ｄ        ｎｄ      νｄ
1               20.909      0.80     2.00170    20.64
2               16.720      3.62     1.61881    63.85
3（非球面）    -99.283      可変
4（非球面）    -76.528      0.80     1.83481    42.71
5（非球面）      7.133      2.58
6              -206.923     1.63     2.10225    16.79
7              -18.640      0.80     1.83481    42.71
8（非球面）     54.142      可変
9（絞り）         ∞        0.30
10（非球面）      5.593      2.49     1.69350    53.21
11（非球面）    -19.473      0.08
12                5.572      1.46     1.49700    81.54
13               37.089      0.71     2.00330    28.27
14                3.573      可変
15（非球面）     32.825      3.00     1.74330    49.33
16（非球面）    -14.479      可変
17                 ∞        0.40     1.54771    62.84
18                 ∞        0.50
19                 ∞        0.50     1.51633    64.14
20                 ∞        0.37
像面                ∞
非球面データ
第３面
K=0.000,A4=1.14689E-05,A6=4.83606E-09,A8=-2.02752E-10,A10=7.85884E-13
第４面
K=9.178,A4=8.86386E-05,A6=-2.97753E-06,A8=4.62415E-08,A10=-3.04205E-10
第５面
K=0.265,A4=1.50448E-04,A6=6.43712E-06,A8=-2.33528E-07,A10=-2.66160E-09
第８面
K=-1.493,A4=-3.07535E-04,A6=-4.47187E-06,A8=2.37774E-07,A10=-5.43727E-09
第１０面
K=0.822,A4=-1.07173E-03,A6=-3.12892E-05,A8=-1.48549E-06,A10=-1.40758E-08
第１１面
K=-3.282,A4=4.48842E-04,A6=3.09551E-06,A8=-8.51889E-07,A10=1.92356E-07
第１5面
K=0.000,A4=3.25911E-05,A6=1.49778E-07
第１６面
K=0.000,A4=1.36486E-04,A6=-4.26236E-06,A8=7.39509E-08
各種データ
ズーム比         9.35
広角      中間      望遠
焦点距離         5.14     15.85     49.07
Ｆナンバー        3.22      4.92      6.00
画角          80.40     26.86      9.00
像高           3.88      3.88      3.88
レンズ全長       42.87     51.96     57.58
ＢＦ           5.44      5.15      4.75
d3             0.18      8.37     16.20
d8            16.03      8.55      1.75
d14            2.97     11.62     16.62
d16            3.93      3.71      3.30
ズームレンズ群データ
群    始面    焦点距離
1       1       32.05
2       4       -7.25
3      10       10.94
4      15       13.89
【０１７０】
数値実施例４
単位     ｍｍ
面データ
面番号               ｒ         ｄ        ｎｄ      νｄ
1               20.015      0.80     2.00170    20.64
2               16.318      3.62     1.59201    67.02
3（非球面）    -95.128      可変
4（非球面）    -72.309      0.80     1.83481    42.71
5（非球面）      7.089      2.58
6             -222.779      1.64     2.10225    16.79
7              -18.442      0.80     1.83481    42.71
8（非球面）     56.401      可変
9（絞り）         ∞        0.30
10（非球面）      5.596      2.49     1.69350    53.21
11（非球面）    -19.119      0.08
12                5.586      1.46     1.49700    81.54
13               38.700      0.71     2.00330    28.27
14                3.565      可変
15（非球面）     33.330      3.00     1.74330    49.33
16（非球面）    -14.041      可変
17                 ∞        0.40     1.54771    62.84
18                 ∞        0.50
19                 ∞        0.50     1.51633    64.14
20                 ∞        0.37
像面                ∞
非球面データ
第３面
K=0.000,A4=1.25893E-05,A6=5.29224E-09,A8=-2.09551E-10,A10=7.93834E-13
第４面
K=7.869,A4=6.69751E-05,A6=-2.58449E-06,A8=6.22145E-08,A10=-5.23773E-10
第５面
K=0.227,A4=1.07973E-04,A6=6.32093E-06,A8=-5.41685E-07,A10=1.70854E-08
第８面
K=-1.493,A4=-3.10021E-04,A6=5.60758E-07,A8=-8.83358E-08,A10=-2.21573E-09
第１０面
K=0.822,A4=-1.11343E-03,A6=-3.05892E-05,A8=-1.85139E-06,A10=-1.78845E-08
第１１面
K=-2.814,A4=4.08676E-04,A6=-1.21638E-06,A8=-7.04762E-07,A10=1.50032E-07
第１5面
K=0.000,A4=4.74683E-05,A6=-7.77189E-07
第１６面
K=0.000,A4=1.67236E-04,A6=-5.05549E-06,A8=6.48089E-08
各種データ
ズーム比         9.35
広角      中間      望遠
焦点距離         5.11     15.78     48.99
Ｆナンバー        3.24      4.95      6.00
画角          80.45     26.99      9.02
像高           3.88      3.88      3.88
レンズ全長       42.85     51.98     57.55
ＢＦ           5.43      5.17      4.72
d3            0.18      8.37     16.20
d8           16.03      8.55      1.74 
d13           2.96     11.63     16.63 
d15           3.93      3.73      3.25 
ズームレンズ群データ
群    始面    焦点距離
1       1       32.03
2       4       -7.26
3      10       10.97
4      15       13.59
【０１７１】
数値実施例５
単位     ｍｍ
面データ
面番号               ｒ         ｄ        ｎｄ      νｄ
1               21.257      0.80     1.94595    17.98
2               18.209      3.85     1.49700    81.54
3（非球面）    -66.917      可変
4（非球面）    -22.219      0.80     1.76802    49.24
5（非球面）      5.481      1.89
6               74.445      1.60     1.94595    17.98
7              -23.299      0.60     1.76802    49.24
8（非球面）    215.699      可変
9（絞り）         ∞        0.30
10（非球面）      4.226      2.35     1.49700    81.54
11（非球面）    -16.223      0.10
12                5.044      0.70     2.00170    20.64
13（非球面）      3.439      可変
14              -21.102      1.60     1.51825    64.14
15（非球面）     -8.879      可変
16                 ∞        0.40     1.51633    64.14
17                 ∞        0.50
18                 ∞        0.50     1.51633    64.14
19                 ∞        0.37
像面                ∞
非球面データ
第３面
K=0.000,A4=1.43757E-05,A6=-1.36130E-08
第４面
K=0.000,A4=1.21703E-03,A6=-5.46492E-05,A8=1.04169E-06,A10=-7.77129E-09
第５面
K=0.000,A4=1.04613E-03,A6=3.25777E-05,A8=-2.65926E-06,A10=-1.84775E-08
第８面
K=0.000,A4=-4.17728E-04,A6=-2.92962E-05,A8=4.40061E-07,A10=-4.99489E-09
第１０面
K=0.000,A4=-1.10207E-03,A6=-2.77492E-05,A8=-3.77816E-06,A10=-7.30453E-08
第１１面
K=0.000,A4=9.87282E-04,A6=-6.65232E-05,A8=2.56751E-06,A10=-2.74580E-08
第１３面
K=0.000,A4=-1.52619E-05,A6=8.16567E-05
第１５面
K=-2.836
各種データ
ズーム比         9.35
広角      中間      望遠
焦点距離         5.10     14.79     49.26
Ｆナンバー        3.35      4.87      5.00
画角          81.14     27.47      8.45
像高           3.88      3.88      3.88
レンズ全長       39.80     48.84     56.76
ＢＦ           7.38      7.17      4.95
d3            0.30      9.12     22.08
d8           13.26      6.10      1.46 
d13           4.26     11.86     13.69 
d15           5.89      5.69      3.47 
ズームレンズ群データ
群    始面    焦点距離
1       1       36.74
2       4       -6.49
3      10       10.09
4      14       28.20
【０１７２】
数値実施例６
単位     ｍｍ
面データ
面番号               ｒ         ｄ        ｎｄ      νｄ
1               20.846      0.80     2.00170    20.64
2               16.766      0.10 
3               16.944      3.62     1.61881    63.85
4（非球面）    -97.907      可変
5（非球面）    -77.096      0.80     1.83481    42.71
6（非球面）      7.139      2.58 
7             -210.704      1.63     2.10225    16.79
8              -18.613      0.80     1.83481    42.71
9（非球面）     54.391      可変
10（絞り）         ∞        0.30
11（非球面）      5.591      2.49     1.69350    53.21
12（非球面）    -19.444      0.08 
13                5.570      1.46     1.49700    81.54
14               36.999      0.71     2.00330    28.27
15                3.573      可変
16（非球面）     32.909      3.00     1.74330    49.33
17（非球面）    -14.495      可変
18                 ∞        0.40     1.54771    62.84
19                 ∞        0.50
20                 ∞        0.50     1.51633    64.14
21                 ∞        0.37
像面                ∞
非球面データ
第４面
K=0.000,A4=1.11417E-05,A6=4.77301E-09,A8=-1.76384E-10,A10=5.67505E-13
第５面
K=9.178,A4=8.69795E-05,A6=-1.63148E-06,A8=8.03659E-09,A10=-1.24224E-11
第６面
K=0.265,A4=1.50147E-04,A6=7.13726E-06,A8=-8.18039E-08,A10=-8.56450E-09
第９面
K=-1.493,A4=-3.05420E-04,A6=-3.72321E-06,A8=1.95408E-07,A10=-4.53534E-09
第１１面
K=0.822,A4=-1.07795E-03,A6=-3.09591E-05,A8=-1.21284E-06,A10=1.00402E-08
第１２面
K=-3.118,A4=4.44583E-04,A6=4.62513E-06,A8=-3.41403E-07,A10=2.10091E-07
第１６面
K= 0.000,A4=3.25824E-05,A6=4.25516E-07
第１７面
K= 0.000,A4=1.37067E-04,A6=-4.13492E-06,A8=7.46073E-08
各種データ
ズーム比         9.35
広角      中間      望遠
焦点距離         5.12     15.83     48.93
Ｆナンバー        3.21      4.92      6.00
画角          79.98     26.88      9.04
像高           3.88      3.88      3.88
レンズ全長       42.93     51.97     57.60
ＢＦ           5.40      5.06      4.68
d4             0.18      8.37     16.20
d9            16.03      8.55      1.75
d15            2.97     11.62     16.62
d17            3.90      3.62      3.22
ズームレンズ群データ
群    始面    焦点距離
1       1       32.05
2       5       -7.27
3      11       10.91
4      16       13.85
【０１７３】
数値実施例７
単位     ｍｍ
面データ
面番号               ｒ         ｄ        ｎｄ      νｄ
1               19.302      0.80     2.00170    20.64
2               15.365      3.62     1.58913    61.14
3（非球面）   -104.689      可変
4（非球面）    -93.884      0.80     1.83481    42.71
5（非球面）      6.716      2.58
6             -700.605      1.68     2.10225    16.79
7              -19.733      0.10
8              -17.664      0.80     1.83481    42.71
9（非球面）     95.016      可変
10（絞り）       ∞          0.30
11（非球面）      5.420      2.49     1.69350    53.21
12（非球面）    -19.583      0.08
13                5.498      1.46     1.49700    81.54
14               34.975      0.54     2.00330    28.27
15                3.525      可変
16（非球面）     39.743      3.00     1.74330    49.33
17（非球面）    -13.96       可変
18                 ∞        0.40     1.54771    62.84
19                 ∞        0.50
20                 ∞        0.50     1.51633    64.14
21                 ∞        0.37
像面                ∞
非球面データ
第３面
K=0.000,A4=1.23054E-05,A6=2.60212E-09,A8=-3.07823E-10,A10=1.71458E-12
第４面
K=7.869,A4=3.85724E-05,A6=-1.69314E-06,A8=4.09224E-08,A10=-3.42105E-10
第５面
K=0.227,A4=4.89518E-05,A6=5.35203E-06,A8=-5.51299E-07,A10=1.60553E-08
第９面
K=-1.493,A4=-3.26017E-04,A6=9.90185E-07,A8=-1.35284E-07,A10=-1.79042E-09
第１１面
K=0.781,A4=-1.18366E-03,A6=-2.67284E-05,A8=-2.83249E-06,A10=2.20918E-08
第１２面
K=-2.672,A4=4.44282E-04,A6=1.65015E-05,A8=-3.53535E-06,A10=3.82848E-07
第１６面
K= 0.000,A4=5.39933E-05,A6=-2.94851E-06
第１７面
K= 0.000,A4=1.52333E-04,A6=-7.37192E-06,A8=8.02981E-08
各種データ
ズーム比         9.35
広角      中間      望遠
焦点距離         5.12     15.83     49.08
Ｆナンバー        3.26      4.97      6.00
画角          80.46     27.07      9.06
像高           3.88      3.88      3.88
レンズ全長       42.91     51.75     57.66
ＢＦ           5.49      5.17      4.74
d3            0.18      8.28     16.32
d9           16.03      8.34      1.61 
d15           2.98     11.72     16.76 
d17           4.00      3.73      3.27 
ズームレンズ群データ
群    始面    焦点距離
1       1       32.45
2       4       -7.30
3      11       10.95
4      16       14.17
【０１７４】
数値実施例８
単位     ｍｍ
面データ
面番号               ｒ         ｄ        ｎｄ      νｄ
1               19.671      0.80     2.00170    20.64
2               15.603      0.10
3               15.450      3.62     1.58913    61.14
4（非球面）   -100.545      可変
5（非球面）    -84.986      0.80     1.83481    42.71
6（非球面）      6.782      2.58 
7            20800.198      1.65     2.10225    16.79
8              -20.211      0.10 
9              -17.058      0.80     1.83481    42.71
10（非球面）    114.384      可変
11（絞り）       ∞          0.30
12（非球面）      5.434      2.49     1.69350    53.21
13（非球面）    -19.397      0.08
14                5.474      1.46     1.49700    81.54
15               33.364      0.52     2.00330    28.27
16                3.517      可変
17（非球面）     40.792      2.99     1.74330    49.33
18（非球面）    -13.902       可変
19                 ∞        0.40     1.54771    62.84
20                 ∞        0.50
21                 ∞        0.50     1.51633    64.14
22                 ∞        0.37
像面                ∞
非球面データ
第４面
K=0.000,A4=1.29756E-05,A6=6.43761E-09,A8=-3.58863E-10,A10=2.03026E-12
第５面
K=7.869,A4=8.02051E-05,A6=-2.23965E-06,A8=3.94995E-08,A10=-3.00060E-10
第６面
K=0.227,A4=7.38440E-05,A6=6.33121E-06,A8=-4.73985E-07,A10=1.42758E-08
第１０面
K=-1.493,A4=-3.07032E-04,A6=-8.00912E-07,A8=-8.47630E-08,A10=-2.11918E-09
第１２面
K=0.781,A4=-1.18705E-03,A6=-2.86980E-05,A8=-2.73106E-06,A10=5.40040E-09
第１３面
K=-2.671,A4=4.20020E-04,A6=1.36038E-05,A8=-3.42454E-06,A10=3.29100E-07
第１７面
K= 0.000,A4=5.57926E-05,A6=-2.76078E-06
第１８面
K= 0.000,A4=1.63767E-04,A6=-7.83584E-06,A8=9.06245E-08
各種データ
ズーム比         9.35
広角      中間      望遠
焦点距離         5.12     15.82     49.12
Ｆナンバー        3.19      4.91      6.00
画角          80.22     27.08      9.06
像高           3.88      3.88      3.88
レンズ全長       42.99     51.80     57.66
ＢＦ           5.51      5.18      4.72
d4            0.18      8.26     16.33
d10          16.03      8.33      1.58 
d16           2.99     11.75     16.76 
d18           3.65      3.37      2.88 
ズームレンズ群データ
群    始面    焦点距離
1       1       32.39
2       4       -7.32
3      12       10.96
4      17       14.21
【０１７５】
数値実施例９
単位     ｍｍ
面データ
面番号               ｒ         ｄ        ｎｄ      νｄ
1               16.961      0.50     2.00330    28.272
2               14.770      4.00     1.43875    94.93
3（非球面）    -53.613      可変
4（非球面）    -34.831      0.80     1.85135    40.10
5（非球面）      5.706      2.40
6             -100.668      1.60     2.00170    20.64
7              -10.639      0.60     1.77250    49.60
8（非球面）   -637.390      可変
9（絞り）         ∞        0.30
10（非球面）      4.308      2.35     1.49700    81.54
11（非球面）    -22.956      0.10
12                4.628      0.70     2.11753    16.79
13（非球面）      3.321      可変
14（非球面）     47.653      1.60     1.76802    49.24
15              -47.407      可変
16                 ∞        0.40     1.51633    64.14
17                 ∞        0.40
18                 ∞        0.40     1.51633    64.14
19                 ∞        0.37
像面                ∞
非球面データ
第３面
K=0.000,A4=2.35896E-05,A6=-2.69490E-08
第４面
K=0.000,A4=1.11996E-03,A6=-5.27085E-05,A8=1.02790E-06,A10=-8.27781E-09
第５面
K=0.000,A4=1.14365E-03,A6=3.28026E-05,A8=-2.56467E-06,A10=-1.82498E-08
第８面
K=0.000,A4=-3.36403E-04,A6=-2.39068E-05,A8=4.13921E-07,A10=-5.00834E-09
第１０面
K=0.000,A4=-8.40786E-04,A6=-2.45662E-05,A8=-3.78182E-06,A10=-7.30622E-08
第１１面
K=0.000,A4=7.01731E-04,A6=-6.28115E-05,A8=2.56803E-06,A10=-2.74507E-08
第１３面
K=0.000,A4=1.25269E-04,A6=8.07357E-05
第１４面
K=0.003,A4=-5.52596E-05,A6=4.86922E-06
各種データ
ズーム比         9.35
広角      中間      望遠
焦点距離         5.10     14.79     49.28
Ｆナンバー        3.99      5.41      6.00
画角          80.86     27.97      8.59
像高           3.80      3.80      3.80
レンズ全長       42.32     48.72     56.76
ＢＦ           6.72      9.67      4.79
d3            0.30      8.84     20.09
d8           14.68      5.92      1.47 
d13           5.67      9.34     15.46 
d15           5.39      8.34      3.48 
ズームレンズ群データ
群    始面    焦点距離
1       1       34.37
2       4       -6.52
3      10       10.76
4      14       31.02
【０１７６】
数値実施例１０
単位     ｍｍ
面データ
面番号               ｒ         ｄ        ｎｄ      νｄ
1               16.897      0.20     2.00330    28.27
2               14.779      4.00     1.43875    94.93
3（非球面）    -49.691      可変
4（非球面）    -31.866      0.80     1.85135    40.10
5（非球面）      5.725      2.40
6             -117.803      1.60     2.00170    20.64
7              -10.489      0.60     1.77250    49.60
8（非球面）  -1044.801      可変
9（絞り）         ∞        0.30
10（非球面）      4.258      2.35     1.43875    94.93
11（非球面）    -16.042      0.10
12                4.743      0.70     2.11753    16.79
13（非球面）      3.502      可変
14（非球面）     53.061      1.60     1.76802    49.24
15              -53.202      可変
16                 ∞        0.40     1.51633    64.14
17                 ∞        0.40
18                 ∞        0.40     1.51633    64.14
19                 ∞        0.37
像面                ∞
非球面データ
第３面
K=0.000,A4=2.47118E-05,A6=-3.04634E-08
第４面
K=0.000,A4=1.14452E-03,A6=-5.29437E-05,A8=1.02645E-06,A10=-8.30318E-09
第５面
K=0.000,A4=1.13134E-03,A6=3.28374E-05,A8=-2.56480E-06,A10=-1.82504E-08
第８面
K=0.000,A4=-3.14067E-04,A6=-2.40621E-05,A8=4.11703E-07,A10=-5.01045E-09
第１０面
K=0.000,A4=-8.85261E-04,A6=-2.50159E-05,A8=-3.78209E-06,A10=-7.30617E-08
第１１面
K=0.000,A4=8.40012E-04,A6=-6.26357E-05,A8=2.56818E-06,A10=-2.74502E-08
第１３面
K=0.000,A4=9.93954E-05,A6=8.05403E-05
第１４面
K=0.074,A4=-9.22032E-05,A6=5.26721E-06
各種データ
ズーム比         9.35
広角      中間      望遠
焦点距離         5.10     14.79     49.29
Ｆナンバー        4.12      5.47      6.00
画角          82.31     28.29      8.71
像高           3.88      3.88      3.88
レンズ全長       43.17     49.09     56.58
ＢＦ           6.76     10.23      4.82
d3            0.30      8.98     20.04
d8           15.23      6.15      1.55 
d13           6.24      9.07     15.52 
d15           5.43      8.89      3.53 
ズームレンズ群データ
群    始面    焦点距離
1       1       33.69
2       4       -6.52
3      10       11.00
4      14       34.65
【０１７７】
数値実施例１１
単位     ｍｍ
広角      中間      望遠
焦点距離         5.11     14.96     47.81
Ｆナンバー        3.54      5.23      6.00
画角          78.15     28.58      9.08
像高           3.66      3.88      3.88
【０１７８】
数値実施例１２
単位     ｍｍ
広角      中間      望遠
焦点距離         5.10     14.79     49.26
Ｆナンバー        3.35      4.87      5.00
画角          77.31     27.47      8.45
像高           3.69      3.88      3.88
【０１７９】
数値実施例１３
単位     ｍｍ
広角      中間      望遠
焦点距離         5.14     15.85     49.07
Ｆナンバー        3.22      4.92      6.00
画角          77.63     26.86      9.00
像高           3.71      3.88      3.88
【０１８０】
数値実施例１４
単位     ｍｍ
広角      中間      望遠
焦点距離         5.11     15.78     48.99
Ｆナンバー        3.24      4.95      6.00
画角          77.73     26.99      9.02
像高           3.71      3.88      3.88
【０１８１】
数値実施例１５
単位     ｍｍ
広角      中間      望遠
焦点距離         5.10     14.79     49.26
Ｆナンバー        3.35      4.87      5.00
画角          80.41     28.65      8.84
像高           3.69      3.88      3.88
【０１８２】
数値実施例１６
単位     ｍｍ
広角      中間      望遠
焦点距離         5.12     15.83     48.93
Ｆナンバー        3.21      4.92      6.00
画角          77.67     26.88      9.04
像高           3.74      3.88      3.88
【０１８３】
数値実施例１７
単位     ｍｍ
広角      中間      望遠
焦点距離         5.12     15.83     49.08
Ｆナンバー        3.26      4.97      6.00
画角          77.63     27.07      9.06
像高           3.71      3.88      3.88
【０１８４】
数値実施例１８
単位     ｍｍ
広角      中間      望遠
焦点距離         5.12     15.82     49.12
Ｆナンバー        3.19      4.91      6.00
画角          77.54     27.08      9.06
像高           3.72      3.88      3.88
【０１８５】
数値実施例１９
単位     ｍｍ
広角      中間      望遠
焦点距離         5.10     14.79     49.28
Ｆナンバー        3.99      5.41      6.00
画角          76.72     27.97      8.59
像高           3.59      3.80      3.80
【０１８６】
数値実施例２０
単位     ｍｍ
広角      中間      望遠
焦点距離         5.10     14.79     49.28
Ｆナンバー        3.99      5.41      6.00
画角          76.72     27.97      8.59
像高           3.61      3.88      3.88
【０１８７】
以上の実施例１〜１０の無限遠物点合焦時の収差図をそれぞれ図１１〜図２０に示す。これらの収差図において、（ａ）は広角端、（ｂ）は中間状態、（ｃ）は望遠端における球面収差、非点収差、歪曲収差、倍率色収差を示す。各図中、“ＦＩＹ”は半画角を示す。  なお、実施例１１〜２０に関しては、それぞれ実施例１〜１０と同様に構成されているので、収差図を省略する。
【０１８８】
次に、上記各実施例における条件式（１）〜（１３）の値を示す。
【０１８９】
条件式    実施例１    実施例２    実施例３    実施例４    実施例５
（１）    9.35        9.66        9.55        9.58        9.66
（２）    1.50        1.50        1.62        1.59        1.50
（３）    1.07        1.05        1.06        1.07        1.05
（４）    1.96        1.96        2.00        2.01        1.96
（５）   17.98       17.98       20.64       20.64       17.98
（６）    0.208       0.208       0.221       0.221       0.208 
（７）  -13.98      -12.95       -8.98       -9.83      -12.95
（８）    0.46        0.46        0.38        0.42        0.46
（９）   63.56       63.56       43.21       46.38       63.56
（１０）    0.688       0.746       0.653       0.654       0.746 
（１１）   -0.137      -0.132      -0.148      -0.148      -0.132 
（１２）    0.759       0.761       0.755       0.759       0.761
（１３）   14.80       14.71       14.92       14.91       14.71
【０１９０】
条件式    実施例６    実施例７    実施例８    実施例９   実施例１０
（１）    9.55        9.59        9.59        9.66        9.67
（２）    1.62        1.59        1.59        1.44        1.44
（３）    1.05        1.10        1.09        1.09        1.07
（４）    2.01        2.01        2.01        2.01        2.01
（５）   20.64       20.64       20.64       28.27       28.27
（６）    0.221       0.221       0.221       0.125       0.050 
（７）   -9.22       -8.81       -8.67       -8.67      -14.96
（８）    0.39        0.42        0.42        0.57        0.57
（９）   43.21       40.50       40.50       66.66       66.66
（１０）    0.655       0.661       0.659       0.697       0.683
（１１）   -0.149      -0.149      -0.149      -0.132      -0.132
（１２）    0.757       0.758       0.758       0.745       0.761
（１３）   14.93       14.94       14.94       15.01       14.65
【０１９１】
条件式   実施例１１  実施例１２  実施例１３  実施例１４  実施例１５
（１）    9.35        9.66        9.55        9.58       9.66
（２）    1.50        1.50        1.62        1.59        1.50
（３）    1.07        1.05        1.06        1.07        1.05
（４）    1.96        1.96        2.00        2.01        1.96
（５）   17.98       17.98       20.64       20.64       17.98
（６）    0.208       0.208       0.221       0.221       0.208 
（７）  -13.98      -12.95       -8.98       -9.83      -12.95
（８）    0.46        0.46        0.38        0.42        0.46
（９）   63.56       63.56       43.21       46.38       63.56
（１０）    0.688       0.746       0.653       0.654       0.746
（１１）   -0.137      -0.132      -0.148      -0.148      -0.132
（１２）    0.717       0.724       0.723       0.726       0.724
（１３）   15.70       15.47       15.59       15.58       15.47
【０１９２】
条件式   実施例１６  実施例１７  実施例１８  実施例１９  実施例２０
（１）    9.55        9.59        9.59        9.66        9.67
（２）    1.62        1.59        1.59        1.44        1.44
（３）    1.05        1.10        1.09        1.09        1.07
（４）    2.01        2.01        2.01        2.01        2.01
（５）   20.64       20.64       20.64       28.27       28.27
（６）    0.221       0.221       0.221       0.125       0.050 
（７）   -9.22       -8.81       -8.67       -8.67      -14.96
（８）    0.39        0.42        0.42        0.57        0.57
（９）   43.21       40.50       40.50       66.66       66.66
（１０）    0.655       0.661       0.659       0.697       0.683
（１１）   -0.149      -0.149      -0.149      -0.132      -0.132
（１２）    0.729       0.725       0.726       0.703       0.709
（１３）   15.50       15.63       15.60       15.91       15.73
【０１９３】
各実施例にて、以下の構成としてもよい。
【０１９４】
本実施例のズームレンズは矩形の光電変換面上に広角端では樽型の歪曲収差が発生する。一方、中間焦点距離状態付近や望遠端では歪曲収差の発生が抑えられる。歪曲収差を電気的に補正するために、有効撮像領域は、広角端では樽型形状とし、中間焦点距離状態や望遠端では矩形の形状となるようにすると良い。そして、あらかじめ設定した有効撮像領域を画像処理により画像変換し、歪みを低減させた矩形の画像情報に変換する。広角端での像高Ｉmwは、中間焦点距離状態の像高Ｉmsや望遠端での像高Ｉmtよりも小さくなるよう
にしている。
【０１９５】
また、ズームレンズにより撮影された画像の電気信号を、画像処理により倍率色収差による色のずれを補正した画像信号に変換する画像変換部を有することが好ましい。ズームレンズの倍率色収差を電気的に補正することで、より良好な画像を得ることができるようになる。
【０１９６】
一般に、電子スチルカメラにおいては被写体の像を、第１原色、第２原色、第３原色の３原色の像に分解して、それぞれの出力信号を演算により重ね合わせることによりカラー画像を再現するようにしている。ズームレンズに倍率色収差がある場合、第１原色の光による像を基準にして考えると、第２原色と第３原色の光による像が結像される位置は第１原色の像が結像される位置からずれることになる。電子的に画像の倍率色収差を補正するためには、第１原色に対する第２原色、第３原色の光の結像位置のずれの量をズームレンズの収差情報に基づいて撮像素子の各画素について予め求めておく。そして、撮影画像の各画素ごとに、第１原色とのズレ量だけ補正するよう座標変換を行ってやればよい。
【０１９７】
例えば、赤（Ｒ）、緑（Ｇ）、青（Ｂ）の３原色の出力信号からなる画像について説明すれば、Ｇに対するＲとＢの結像位置ずれを各画素について求めておき、Ｇとのずれがなくなるように撮影画像の座標変換を行い、その後にＲとＢの信号を出力してやればよい。
【０１９８】
倍率色収差はズーム、フォーカス、絞り値によって変化するが、各レンズポジション（ズーム、フォーカス、絞り値）ごとに、この第１原色からの第２原色及び第３原色のずれ量を補正データとして記憶保持装置に記憶させておくとよい。ズームポジションに応じて、この補正データを参照することで、第１原色信号に対する第２及び第３原色のずれを補正した第２及び第３原色信号とを出力することができる。
【０１９９】
またゴースト、フレア等の不要光をカットするために、明るさ絞り以外にフレア絞りを配置してもかまわない。
【０２００】
第１レンズ群の物体側、第１、２レンズ群間、第２、３レンズ群間、第３、４レンズ群間、第４、５レンズ群間、最も像面側の群から像面間のいずれの場所に配置しても良い。枠部材によりフレア光線をカットするように構成しても良いし、別の部材を構成しても良い。また光学系に直接印刷しても塗装してもシールなどを接着してもかまわない。またその形状は円形、楕円形、矩形、多角形、関数曲線で囲まれる範囲等、いかなる形状でもかまわない。また有害光束をカットするだけでなく画面周辺のコマフレア等の光束をカットしても良い。
【０２０１】
また、各レンズには反射防止コートを行い、ゴースト、フレアを軽減してもかまわない。マルチコートであれば効果的にゴースト、フレアを軽減できるので望ましい。また赤外カットコートをレンズ面、カバーガラス等に行ってもかまわない。
【０２０２】
また、ピント調節を行うためのフォーカシングは最も像面側の群が望ましい。最も像面側の群でフォーカシングを行うとレンズ重量が軽量なためモータにかかる負荷が少ない。さらに、フォーカシング時に全長が変化しないし、鏡枠内部に駆動モータを配置できるため、鏡枠のコンパクト化に有利である。
【０２０３】
上述のように最も像面側の群のフォーカシングが望ましいが、第１、２、３、４レンズ群でフォーカシングを行っても良い。また、複数のレンズ群を移動してフォーカシングを行っても良い。複数のレンズ群を動かすことで、フォーカシングのよる性能劣化をより効率的に小さくできる。また、レンズ系全体を繰り出してフォーカスを行っても良いし、一
部のレンズを繰り出し、もしくは繰り込みしてフォーカスしても良い。
【０２０４】
また、画像周辺部の明るさのかげり（シェーディング）をＣＣＤのマイクロレンズをシフトすることにより軽減しても良い。例えば、各像高における光線の入射角に合わせてＣＣＤのマイクロレンズの設計を変えても良い。また、画像処理により画像周辺部の低下量を補正しても良い。
【０２０５】
ゴースト・フレアの発生を防止するためにレンズの空気接触面に反射防止コートを施すことは一般的に行われている。一方、接合レンズの接合面では接着材の屈折率が空気の屈折率よりも十分高い。そのためもともと単層コート並み、あるいはそれ以下の反射率となっていることが多く、あえてコートを施すことは少ない。しかしながら、接合面にも積極的に反射防止コートを施せばさらにゴースト・フレアを軽減でき、なお良好な画像を得ることができるようになる。
【０２０６】
特に、最近では高屈折率硝材が普及し収差補正効果が高いためカメラ光学系に多用されるようになってきているが、高屈折率硝材を接合レンズとして用いた場合、接合面での反射も無視できなくなってくる。そのような場合、接合面に反射防止コートを施しておくことは特に効果的である。
【０２０７】
接合面コートの効果的な使用法に関しては、特開平2-27301号、特開2001-324676号、特開2005-92115号、USP7116482等に開示されている。これらの文献では特に正先行ズームレンズの第１レンズ群内の接合レンズ面コートについて述べられており、本発明の正パワーの第１レンズ群内の接合レンズ面についてもこれら文献に開示されているごとく実施すればよい。
【０２０８】
使用するコート材としては、基盤となるレンズの屈折率と接着材の屈折率に応じて、比較的高屈折率なＴａ2Ｏ5、ＴｉＯ2、Ｎｂ2Ｏ5、ＺｒＯ2、ＨｆＯ2、ＣｅＯ2、ＳｎＯ2、
Ｉｎ2Ｏ3、ＺｎＯ、Ｙ2Ｏ3などのコート材、比較的低屈折率なＭｇＦ2、ＳｉＯ2、Ａｌ2
Ｏ3などのコート材、などを適宜選択し、位相条件を満たすような膜厚に設定すれば良い
。当然のことながら、レンズの空気接触面へのコーティング同様、接合面コートをマルチコートとしても良い。２層あるいはそれ以上の膜数のコート材や膜厚を適宜組み合わせることで、更なる反射率の低減や、反射率の分光特性・角度特性等のコントロールなどを行うことが可能となる。また第１レンズ群以外のレンズ接合面についても、同様の思想に基づいて接合面コートを行うことが効果的なのは言うまでもない。
【０２０９】
図２１〜図２３は、以上のようなズームレンズを撮影光学系４１に組み込んだ本発明によるデジタルカメラの構成の概念図を示す。図２１はデジタルカメラ４０の外観を示す前方斜視図、図２２は同後方正面図、図２３はデジタルカメラ４０の構成を示す模式的な断面図である。ただし、図２１と図２３においては、撮影光学系４１の非沈胴時を示している。デジタルカメラ４０は、この例の場合、撮影用光路４２上に位置する撮影光学系４１、ファインダー用光路４４上に位置するファインダー光学系４３、シャッターボタン４５、フラッシュ４６、液晶表示モニター４７、焦点距離変更ボタン６１、設定変更スイッチ６２等を含み、撮影光学系４１の沈胴時には、カバー６０をスライドすることにより、撮影光学系４１とファインダー光学系４３とフラッシュ４６はそのカバー６０で覆われる。そして、カバー６０を開いてカメラ４０を撮影状態に設定すると、撮影光学系４１は図１８の非沈胴状態になり、カメラ４０の上部に配置されたシャッターボタン４５を押圧すると、それに連動して撮影光学系４１、例えば実施例１のズームレンズを通して撮影が行われる。撮影光学系４１によって形成された物体像が、波長域制限コートを施したローパスフィルターＦとカバーガラスＣを介してＣＣＤ４９の撮像面（光電変換面）上に形成される。このＣＣＤ４９で受光された物体像は、処理手段５１を介し、電子画像としてカメラ
背面に設けられた液晶表示モニター４７に表示される。また、この処理手段５１には記録手段５２が接続され、撮影された電子画像を記録することもできる、なお、この記録手段５２は処理手段５１と別体に設けてもよいし、フロッピーディスクやメモリーカード、ＭＯ等により電子的に記録書込を行うように構成してもよい。また、ＣＣＤ４９に代わって銀塩フィルムを配置した銀塩カメラとして構成してもよい。
【０２１０】
さらに、ファインダー用光路４４上にはファインダー用対物光学系５３が配置してある。ファインダー用対物光学系５３は、複数のレンズ群（図の場合は３群）と正立プリズム５５ａ、５５ｂ、５５ｃからなる正立プリズム系５５とから構成され、撮影光学系４１のズームレンズに連動して焦点距離が変化するズーム光学系からなり、このファインダー用対物光学系５３によって形成された物体像は、像正立部材である正立プリズム系５５の視野枠５７上に形成される。この正立プリズム系５５の後方には、正立正像にされた像を観察者眼球Ｅに導く接眼光学系５９が配置されている。なお、接眼光学系５９の射出側にカバー部材５０が配置されている。
【０２１１】
図２４は、上記デジタルカメラ４０の主要部の内部回路の構成ブロック図である。なお、以下の説明では、上記の処理手段５１は例えばＣＤＳ／ＡＤＣ部２４、一次記憶メモリ１７、画像処理部１８等からなり、記憶手段５２は例えば記憶媒体部１９等からなる。
【０２１２】
図２４に示すように、デジタルカメラ４０は、操作部１２と、この操作部１２に接続された制御部１３と、この制御部１３の制御信号出力ポートにバス１４及び１５を介して接続された撮像駆動回路１６並びに一次記憶メモリ１７、画像処理部１８、記憶媒体部１９、表示部２０、及び設定情報記憶メモリ部２１を備えている。
【０２１３】
上記の一次記憶メモリ１７、画像処理部１８、記憶媒体部１９、表示部２０、及び設定情報記憶メモリ部２１はバス２２を介して相互にデータの入力又は出力が可能なように構成され、また、撮像駆動回路１６には、ＣＣＤ４９とＣＤＳ／ＡＤＣ部２４が接続されている。
【０２１４】
操作部１２は各種の入力ボタンやスイッチを備え、これらの入力ボタンやスイッチを介して外部（カメラ使用者）から入力されるイベント情報を制御部に通知する回路である。制御部１３は、例えばＣＰＵ等からなる中央演算処理装置であり、不図示のプログラムメモリを内蔵し、そのプログラムメモリに格納されているプログラムにしたがって、操作部１２を介してカメラ使用者から入力される指示命令を受けてデジタルカメラ４０全体を制御する回路である。
【０２１５】
ＣＣＤ４９は、本発明による撮影光学系４１を介して形成された物体像を受光する。ＣＣＤ４９は、撮影駆動回路１６により駆動制御され、その物体像の各画素ごとの光量を電気信号に変換してＣＤＳ／ＡＤＣ部２４に出力する撮像素子である。
【０２１６】
ＣＤＳ／ＡＤＣ部２４は、ＣＣＤ４９から入力する電気信号を増幅しかつアナログ／デジタル変換を行って、この増幅とデジタル変換を行っただけの映像生データ（ベイヤーデータ、以下ＲＡＷデータという。）を一時メモリ１７に出力する回路である。
【０２１７】
一次記憶メモリ１７は、例えばＳＤＲＡＭ等からなるバッファであり、ＣＤＳ／ＡＤＣ部２４から出力される上記ＲＡＷデータを一時的に記憶するメモリ装置である。画像処理部１８は、一次記憶メモリ１７に記憶されたＲＡＷデータ又は記憶媒体部１９に記憶されているＲＡＷデータを読み出して、制御部１３から指定された画質パラメータに基づいて歪曲収差補正を含む各種画像処理を電気的に行う回路である。
記憶媒体部１９は、例えばフラッシュメモリ等からなるカード型又はスティック型の記
録媒体を着脱自在に装着して、それらカード型又はスティック型のフラッシュメモリに、一次記憶メモリ１７から転送されるＲＡＷデータや画像処理部１８で画像処理された画像データを記録して保持する装置の制御回路である。
【０２１８】
表示部２０は、液晶表示モニター４７を備え、その液晶表示モニター４７に画像や操作メニュー等を表示する回路である。設定情報記憶メモリ部２１には、予め各種の画質パラメータが格納されているＲＯＭ部と、そのＲＯＭ部から読み出された画質パラメータの中から操作部１２の入力操作によって選択された画質パラメータを記憶するＲＡＭ部が備えられている。設定情報記憶メモリ部２１は、それらのメモリへの入出力を制御する回路である。
【０２１９】
このように構成されたデジタルカメラ４０は、撮影光学系４１が、本発明により、十分な広角域を有し、コンパクトな構成としながら、高変倍で全変倍域で結像性能が極めて安定的であるので、高性能・小型化・広角化が実現できる。そして、広角側、望遠側での速い合焦動作が可能となる。
【０２２０】
本発明は、以上のような一般的な被写体を撮影する所謂コンパクトデジタルカメラだけではなく、広い画角が必要な監視カメラや、レンズ交換式のカメラに適用してもよい。
【図面の簡単な説明】
【０２２１】
【図１】本発明のズームレンズの実施例１の無限遠物点合焦時の広角端（ａ）、中間状態（ｂ）、望遠端（ｃ）でのレンズ断面図である。
【図２】本発明のズームレンズの実施例２の図１と同様の図である。
【図３】本発明のズームレンズの実施例３の図１と同様の図である。
【図４】本発明のズームレンズの実施例４の図１と同様の図である。
【図５】本発明のズームレンズの実施例５の図１と同様の図である。
【図６】本発明のズームレンズの実施例６の図１と同様の図である。
【図７】本発明のズームレンズの実施例７の図１と同様の図である。
【図８】本発明のズームレンズの実施例８の図１と同様の図である。
【図９】本発明のズームレンズの実施例９の図１と同様の図である。
【図１０】本発明のズームレンズの実施例１０の図１と同様の図である。
【図１１】実施例１の無限遠物点合焦時の収差図である。
【図１２】実施例２の無限遠物点合焦時の収差図である。
【図１３】実施例３の無限遠物点合焦時の収差図である。
【図１４】実施例４の無限遠物点合焦時の収差図である。
【図１５】実施例５の無限遠物点合焦時の収差図である。
【図１６】実施例６の無限遠物点合焦時の収差図である。
【図１７】実施例７の無限遠物点合焦時の収差図である。
【図１８】実施例８の無限遠物点合焦時の収差図である。
【図１９】実施例９の無限遠物点合焦時の収差図である。
【図２０】実施例１０の無限遠物点合焦時の収差図である。
【図２１】本発明によるデジタルカメラの外観を示す前方斜視図である。
【図２２】図２１のデジタルカメラの後方斜視図である。
【図２３】図２１のデジタルカメラの断面図である。
【図２４】図２１のデジタルカメラの主要部の内部回路の構成ブロック図である。
【符号の説明】
【０２２２】
Ｇ１…第１レンズ群
Ｇ２…第２レンズ群
Ｇ３…第３レンズ群
Ｇ４…第４レンズ群
Ｇ５…第５レンズ群
Ｓ…開口絞り
Ｆ…光学的ローパスフィルター
Ｃ…カバーガラス
Ｉ…像面
Ｅ…観察者眼球
１２…操作部
１３…制御部
１４、１５…バス
１６…撮像駆動回路
１７…一次記憶メモリ
１８…画像処理部
１９…記憶媒体部
２０…表示部
２１…設定情報記憶メモリ部
２２…バス
２４…ＣＤＳ／ＡＤＣ部
４０…デジタルカメラ
４１…撮影光学系
４２…撮影用光路
４３…ファインダー光学系
４４…ファインダー用光路
４５…シャッターボタン
４６…フラッシュ
４７…液晶表示モニター
４９…ＣＣＤ
５０…カバー部材
５１…処理手段
５２…記録手段
５３…ファインダー用対物光学系
５５…正立プリズム系
５５ａ、５５ｂ、５５ｃ、…正立プリズム
５７…視野枠
５９…接眼光学系
６０…カバー
６１…焦点距離変更ボタン
６２…設定変更スイッチ
【図１】
0005259304.tif 000002
【図２】
0005259304.tif 000003
【図３】
0005259304.tif 000004
【図４】
0005259304.tif 000005
【図５】
0005259304.tif 000006
【図６】
0005259304.tif 000007
【図７】
0005259304.tif 000008
【図８】
0005259304.tif 000009
【図９】
0005259304.tif 000010
【図１０】
0005259304.tif 000011
【図１１】
0005259304.tif 000012
【図１２】
0005259304.tif 000013
【図１３】
0005259304.tif 000014
【図１４】
0005259304.tif 000015
【図１５】
0005259304.tif 000016
【図１６】
0005259304.tif 000017
【図１７】
0005259304.tif 000018
【図１８】
0005259304.tif 000019
【図１９】
0005259304.tif 000020
【図２０】
0005259304.tif 000021
【図２１】
0005259304.tif 000022
【図２２】
0005259304.tif 000023
【図２３】
0005259304.tif 000024
【図２４】
0005259304.tif 000025